(57)【特許請求の範囲】
【請求項１】
ピアツーピアネットワークにおけるワイヤレス通信の方法であって、
ブロードキャストのためにユニキャストリソースを使用するという意図を示す情報を含む第１のブロードキャスト信号を送信することと、
前記ユニキャストリソースにおいて第２のブロードキャスト信号を送信することと
を備える、ワイヤレス通信の方法。
【請求項２】
追加のブロードキャスト情報を送信する必要があることに起因して、前記第２のブロードキャスト信号を送信するために前記ユニキャストリソースを利用することを決定することをさらに備える、請求項１に記載の方法。
【請求項３】
前記第１のブロードキャスト信号がブロードキャストメッセージをさらに含む、請求項１に記載の方法。
【請求項４】
前記ブロードキャストのために前記ユニキャストリソースを使用するという前記意図を示す前記情報が、前記ブロードキャストのために使用される前記ユニキャストリソースを示す情報を含む、請求項１に記載の方法。
【請求項５】
前記ユニキャストリソースが複数のユニキャストリソースを含む、請求項４に記載の方法。
【請求項６】
複数のスケジューリングリソースのうちの１つのスケジューリングリソースにおいて、前記ユニキャストリソースを使用するという第２の意図を通信することをさらに備える、請求項１に記載の方法。
【請求項７】
前記複数のスケジューリングリソースがそれぞれ、異なる関連優先度を有し、前記第２の意図がそこにおいて送信される前記スケジューリングリソースが、最も高い優先度を有する、請求項６に記載の方法。
【請求項８】
前記ユニキャストリソースを使用するという前記第２の意図を前記通信することが、前記第２のブロードキャスト信号の前記送信の意図された電力に等しい電力でスケジューリング信号を送信することを含む、請求項６に記載の方法。
【請求項９】
少なくとも１つのワイヤレスデバイスまでの距離を決定することと、
前記距離がしきい値距離よりも小さいときに、前記少なくとも１つのワイヤレスデバイスについて第２のスケジューリング信号を送信することと
をさらに備える、請求項８に記載の方法。
【請求項１０】
前記しきい値距離内の前記少なくとも１つのワイヤレスデバイスの各々の近傍内のワイヤレスデバイスの密度を決定することであって、前記少なくとも１つのワイヤレスデバイスのいずれかについて前記密度が密度しきい値よりも大きいときにのみ前記第２のスケジューリング信号が送信される、決定することをさらに含む、請求項９に記載の方法。
【請求項１１】
前記距離を前記決定することが、
前記少なくとも１つのワイヤレスデバイスの各々からブロードキャスト信号を受信することであって、各ブロードキャスト信号が対応するワイヤレスデバイスのロケーションを含む、受信することと、
現在ロケーションを決定することと、
前記対応するワイヤレスデバイスまでの前記距離を決定するために前記現在ロケーションを前記対応するワイヤレスデバイスの前記ロケーションと比較することと
を含む、請求項９に記載の方法。
【請求項１２】
前記ユニキャストリソースを使用するという前記第２の意図を通信するという意図を通信することをさらに含む、請求項６に記載の方法。
【請求項１３】
前記ユニキャストリソースを使用するという前記第２の意図を通信するという前記意図を前記通信することが、第２のスケジューリング信号を送信するという意図を示す第１のスケジューリング信号を送信することを含む、請求項１２に記載の方法。
【請求項１４】
第１のワイヤレスデバイスの方法であって、
ブロードキャストのためにユニキャストリソースを使用するという意図を示す情報を含む第１のブロードキャスト信号を第２のワイヤレスデバイスから受信することと、
スケジューリングリソースにおいて前記第２のワイヤレスデバイスから第１のスケジューリング信号を受信することであって、前記第１のスケジューリング信号が、第２のブロードキャスト信号を送信するために前記ユニキャストリソースを使用するという第２の意図を示すためのものである、受信することと、
前記第１のスケジューリング信号に応答して、前記スケジューリングリソースにおいて第２のスケジューリング信号を送信することを控えることと
を備える、第１のワイヤレスデバイスの方法。
【請求項１５】
前記控えることが確率に基づき、前記確率が、前記第２のワイヤレスデバイスまでの距離または前記第１のワイヤレスデバイスの近傍内のワイヤレスデバイスの密度のうちの少なくとも１つに基づく、請求項１４に記載の方法。
【請求項１６】
前記第２のワイヤレスデバイスまでの前記距離に基づいて前記確率を調整することであって、前記控えることが、前記確率を用いて前記第２のスケジューリング信号を送信することを控えることを含む、調整することをさらに備える、請求項１５に記載の方法。
【請求項１７】
前記第１のワイヤレスデバイスの前記近傍内のワイヤレスデバイスの前記密度に基づいて前記確率を調整することであって、前記控えることが、前記確率を用いて前記第２のスケジューリング信号を送信することを控えることを含む、調整することをさらに備える、請求項１５に記載の方法。
【請求項１８】
前記ユニキャストリソースにおいて前記第２のブロードキャスト信号を受信することをさらに備える、請求項１４に記載の方法。
【請求項１９】
前記第１のブロードキャスト信号がブロードキャストメッセージをさらに含む、請求項１４に記載の方法。
【請求項２０】
前記ブロードキャストのために前記ユニキャストリソースを使用するという前記意図を示す前記情報が、前記ブロードキャストのために使用される前記ユニキャストリソースを示す情報を含む、請求項１４に記載の方法。
【請求項２１】
前記ユニキャストリソースが複数のユニキャストリソースを含む、請求項２０に記載の方法。
【請求項２２】
第１のワイヤレスデバイスの方法であって、
第２のブロードキャスト信号を送信するためにユニキャストリソースを使用するという意図を示す情報を含む第１のブロードキャスト信号を第２のワイヤレスデバイスから受信することと、
前記第２のブロードキャスト信号と同時に前記ユニキャストリソース上でデータを送信することを控えることと
を備える、第１のワイヤレスデバイスの方法。
【請求項２３】
前記ユニキャストリソースにおいて前記第２のブロードキャスト信号を受信することをさらに備える、請求項２２に記載の方法。
【請求項２４】
前記第１のブロードキャスト信号がブロードキャストメッセージをさらに含む、請求項２２に記載の方法。
【請求項２５】
前記第２のブロードキャスト信号を送信するために前記ユニキャストリソースを使用するという前記意図を示す前記情報が、前記第２のブロードキャスト信号を送信するために使用される前記ユニキャストリソースを示す情報を含む、請求項２２に記載の方法。
【請求項２６】
前記ユニキャストリソースが複数のユニキャストリソースを含む、請求項２５に記載の方法。
【請求項２７】
ピアツーピアネットワークにおけるワイヤレス通信のための装置であって、
ブロードキャストのためにユニキャストリソースを使用するという意図を示す情報を含む第１のブロードキャスト信号を送信するための手段と、
前記ユニキャストリソースにおいて第２のブロードキャスト信号を送信するための手段と
を備える、装置。
【請求項２８】
追加のブロードキャスト情報を送信する必要があることに起因して、前記第２のブロードキャスト信号を送信するために前記ユニキャストリソースを利用することを決定するための手段をさらに備える、請求項２７に記載の装置。
【請求項２９】
前記第１のブロードキャスト信号がブロードキャストメッセージをさらに含む、請求項２７に記載の装置。
【請求項３０】
前記ブロードキャストのために前記ユニキャストリソースを使用するという前記意図を示す前記情報が、前記ブロードキャストのために使用される前記ユニキャストリソースを示す情報を含む、請求項２７に記載の装置。
【請求項３１】
前記ユニキャストリソースが複数のユニキャストリソースを含む、請求項３０に記載の装置。
【請求項３２】
複数のスケジューリングリソースのうちの１つのスケジューリングリソースにおいて、前記ユニキャストリソースを使用するという第２の意図を通信するための手段をさらに含む、請求項２７に記載の装置。
【請求項３３】
前記複数のスケジューリングリソースがそれぞれ、異なる関連優先度を有し、前記第２の意図がそこにおいて送信される前記スケジューリングリソースが、最も高い優先度を有する、請求項３２に記載の装置。
【請求項３４】
前記ユニキャストリソースを使用するという前記第２の意図を通信するための前記手段が、前記第２のブロードキャスト信号の前記送信の意図された電力に等しい電力でスケジューリング信号を送信する、請求項３２に記載の装置。
【請求項３５】
少なくとも１つのワイヤレスデバイスまでの距離を決定するための手段と、
前記距離がしきい値距離よりも小さいときに、前記少なくとも１つのワイヤレスデバイスについて第２のスケジューリング信号を送信するための手段と
をさらに備える、請求項３４に記載の装置。
【請求項３６】
前記しきい値距離内の前記少なくとも１つのワイヤレスデバイスの各々の近傍内のワイヤレスデバイスの密度を決定するための手段であって、前記少なくとも１つのワイヤレスデバイスのいずれかについて前記密度が密度しきい値よりも大きいときにのみ前記第２のスケジューリング信号が送信される、決定するための手段をさらに備える、請求項３５に記載の装置。
【請求項３７】
距離を決定するための前記手段が、
前記少なくとも１つのワイヤレスデバイスの各々からブロードキャスト信号を受信するための手段であって、各ブロードキャスト信号が対応するワイヤレスデバイスのロケーションを含む、受信するための手段と、
現在ロケーションを決定するための手段と、
前記対応するワイヤレスデバイスまでの前記距離を決定するために前記対応するワイヤレスデバイスの前記ロケーションと前記現在ロケーションとを比較するための手段と
を含む、請求項３５に記載の装置。
【請求項３８】
前記ユニキャストリソースを使用するという前記第２の意図を通信するという意図を通信するための手段をさらに備える、請求項３２に記載の装置。
【請求項３９】
前記ユニキャストリソースを使用するという前記第２の意図を通信するという前記意図を通信するための前記手段が、第２のスケジューリング信号を送信するという意図を示す第１のスケジューリング信号を送信する、請求項３８に記載の装置。
【請求項４０】
ワイヤレス通信のための装置であって、
ブロードキャストのためにユニキャストリソースを使用するという意図を示す情報を含む第１のブロードキャスト信号を第２の装置から受信するための手段と、
スケジューリングリソースにおいて前記第２の装置から第１のスケジューリング信号を受信するための手段であって、前記第１のスケジューリング信号が、第２のブロードキャスト信号を送信するために前記ユニキャストリソースを使用するという第２の意図を示すためのものである、受信するための手段と、
前記第１のスケジューリング信号に応答して、前記スケジューリングリソースにおいて第２のスケジューリング信号を送信することを控えるための手段と
を備える、装置。
【請求項４１】
控えるための前記手段が確率に基づき、前記確率が、前記第２の装置までの距離または前記装置の近傍内のワイヤレスデバイスの密度のうちの少なくとも１つに基づく、請求項４０に記載の装置。
【請求項４２】
前記第２の装置までの前記距離に基づいて前記確率を調整するための手段であって、控えるための前記手段が、前記確率を用いて前記第２のスケジューリング信号を送信することを控える、調整するための手段をさらに含む、請求項４１に記載の装置。
【請求項４３】
前記装置の前記近傍内のワイヤレスデバイスの前記密度に基づいて前記確率を調整するための手段であって、控えるための前記手段が、前記確率を用いて前記第２のスケジューリング信号を送信することを控える、調整するための手段をさらに備える、請求項４１に記載の装置。
【請求項４４】
前記ユニキャストリソースにおいて前記第２のブロードキャスト信号を受信するための手段をさらに備える、請求項４０に記載の装置。
【請求項４５】
前記第１のブロードキャスト信号がブロードキャストメッセージをさらに含む、請求項４０に記載の装置。
【請求項４６】
前記ブロードキャストのために前記ユニキャストリソースを使用するという前記意図を示す前記情報が、前記ブロードキャストのために使用される前記ユニキャストリソースを示す情報を含む、請求項４０に記載の装置。
【請求項４７】
前記ユニキャストリソースが複数のユニキャストリソースを含む、請求項４６に記載の装置。
【請求項４８】
ワイヤレス通信のための装置であって、
第２のブロードキャスト信号を送信するためにユニキャストリソースを使用するという意図を示す情報を含む第１のブロードキャスト信号を第２の装置から受信するための手段と、
前記第２のブロードキャスト信号と同時に前記ユニキャストリソース上でデータを送信することを控えるための手段と
を備える、装置。
【請求項４９】
前記ユニキャストリソースにおいて前記第２のブロードキャスト信号を受信するための手段をさらに含む、請求項４８に記載の装置。
【請求項５０】
前記第１のブロードキャスト信号がブロードキャストメッセージをさらに含む、請求項４８に記載の装置。
【請求項５１】
前記第２のブロードキャスト信号を送信するために前記ユニキャストリソースを使用するという前記意図を示す前記情報が、前記第２のブロードキャスト信号を送信するために使用される前記ユニキャストリソースを示す情報を含む、請求項４８に記載の装置。
【請求項５２】
前記ユニキャストリソースが複数のユニキャストリソースを含む、請求項５１に記載の装置。
【請求項５３】
ピアツーピアネットワークにおけるワイヤレス通信のための装置であって、
ブロードキャストのためにユニキャストリソースを使用するという意図を示す情報を含む第１のブロードキャスト信号を送信することと、
前記ユニキャストリソースにおいて第２のブロードキャスト信号を送信することと
を行うように構成された処理システム
を備える、装置。
【請求項５４】
前記処理システムは、追加のブロードキャスト情報を送信する必要があることに起因して、前記第２のブロードキャスト信号を送信するために前記ユニキャストリソースを利用するようにさらに構成された、請求項５３に記載の装置。
【請求項５５】
前記第１のブロードキャスト信号がブロードキャストメッセージをさらに含む、請求項５３に記載の装置。
【請求項５６】
前記ブロードキャストのために前記ユニキャストリソースを使用するという前記意図を示す前記情報が、前記ブロードキャストのために使用される前記ユニキャストリソースを示す情報を含む、請求項５３に記載の装置。
【請求項５７】
前記ユニキャストリソースが複数のユニキャストリソースを含む、請求項５６に記載の装置。
【請求項５８】
前記処理システムが、複数のスケジューリングリソースのうちの１つのスケジューリングリソースにおいて前記ユニキャストリソースを使用するという第２の意図を通信するようにさらに構成された、請求項５３に記載の装置。
【請求項５９】
前記複数のスケジューリングリソースがそれぞれ、異なる関連優先度を有し、前記第２の意図がそこにおいて送信される前記スケジューリングリソースが、最も高い優先度を有する、請求項５８に記載の装置。
【請求項６０】
前記処理システムが、前記第２のブロードキャスト信号の前記送信の意図された電力に等しい電力でスケジューリング信号を送信することによって、前記ユニキャストリソースを使用するという前記第２の意図を通信するように構成された、請求項５８に記載の装置。
【請求項６１】
前記処理システムが、
少なくとも１つのワイヤレスデバイスまでの距離を決定することと、
前記距離がしきい値距離よりも小さいときに、前記少なくとも１つのワイヤレスデバイスについて第２のスケジューリング信号を送信することと
を行うようにさらに構成された、請求項６０に記載の装置。
【請求項６２】
前記処理システムが、前記しきい値距離内の前記少なくとも１つのワイヤレスデバイスの各々の近傍内のワイヤレスデバイスの密度を決定するようにさらに構成され、前記少なくとも１つのワイヤレスデバイスのいずれかについて前記密度が密度しきい値よりも大きいときにのみ、前記第２のスケジューリング信号が送信される、請求項６１に記載の装置。
【請求項６３】
前記距離を決定するために、前記処理システムが、
前記少なくとも１つのワイヤレスデバイスの各々からブロードキャスト信号を受信することであって、各ブロードキャスト信号が対応するワイヤレスデバイスのロケーションを含む、受信することと、
現在ロケーションを決定することと、
前記対応するワイヤレスデバイスまでの前記距離を決定するために前記対応するワイヤレスデバイスの前記ロケーションと前記現在ロケーションとを比較することと
を行うように構成された、請求項６１に記載の装置。
【請求項６４】
前記処理システムが、前記ユニキャストリソースを使用するという前記第２の意図を通信するという意図を通信するようにさらに構成された、請求項５８に記載の装置。
【請求項６５】
前記処理システムが、第２のスケジューリング信号を送信するという意図を示す第１のスケジューリング信号を送信することによって、前記ユニキャストリソースを使用するという前記第２の意図を通信するという前記意図を通信するように構成された、請求項６４に記載の装置。
【請求項６６】
ワイヤレス通信のための装置であって、
ブロードキャストのためにユニキャストリソースを使用するという意図を示す情報を含む第１のブロードキャスト信号を第２の装置から受信することと、
スケジューリングリソースにおいて前記第２の装置から第１のスケジューリング信号を受信することであって、前記第１のスケジューリング信号が、第２のブロードキャスト信号を送信するために前記ユニキャストリソースを使用するという第２の意図を示すためのものである、受信することと、
前記第１のスケジューリング信号に応答して、前記スケジューリングリソースにおいて第２のスケジューリング信号を送信することを控えることと
を行うように構成された処理システム
を備える、装置。
【請求項６７】
前記処理システムが、確率に基づいて控えるように構成され、前記確率が、前記第２の装置までの距離または前記装置の近傍内のワイヤレスデバイスの密度のうちの少なくとも１つに基づく、請求項６６に記載の装置。
【請求項６８】
前記処理システムが、前記第２の装置までの前記距離に基づいて前記確率を調整するようにさらに構成され、前記処理システムが、前記確率を用いて前記第２のスケジューリング信号を送信することを控えるように構成された、請求項６７に記載の装置。
【請求項６９】
前記処理システムが、前記装置の前記近傍内のワイヤレスデバイスの前記密度に基づいて前記確率を調整するように構成され、前記処理システムが、前記確率を用いて前記第２のスケジューリング信号を送信することを控える、請求項６７に記載の装置。
【請求項７０】
前記処理システムが、前記ユニキャストリソースにおいて前記第２のブロードキャスト信号を受信するようにさらに構成された、請求項６６に記載の装置。
【請求項７１】
前記第１のブロードキャスト信号がブロードキャストメッセージをさらに含む、請求項６６に記載の装置。
【請求項７２】
前記ブロードキャストのために前記ユニキャストリソースを使用するという前記意図を示す前記情報が、前記ブロードキャストのために使用される前記ユニキャストリソースを示す情報を含む、請求項６６に記載の装置。
【請求項７３】
前記ユニキャストリソースが複数のユニキャストリソースを含む、請求項７２に記載の装置。
【請求項７４】
ワイヤレス通信のための装置であって、
第２のブロードキャスト信号を送信するためにユニキャストリソースを使用するという意図を示す情報を含む第１のブロードキャスト信号を第２の装置から受信することと、
前記第２のブロードキャスト信号と同時に前記ユニキャストリソース上でデータを送信することを控えることと
を行うように構成された処理システム
を備える、装置。
【請求項７５】
前記ユニキャストリソースにおいて前記第２のブロードキャスト信号を受信することをさらに含む、請求項７４に記載の装置。
【請求項７６】
前記第１のブロードキャスト信号がブロードキャストメッセージをさらに含む、請求項７４に記載の装置。
【請求項７７】
前記第２のブロードキャスト信号を送信するために前記ユニキャストリソースを使用するという前記意図を示す前記情報が、前記第２のブロードキャスト信号を送信するために使用される前記ユニキャストリソースを示す情報を含む、請求項７４に記載の装置。
【請求項７８】
前記ユニキャストリソースが複数のユニキャストリソースを含む、請求項７７に記載の装置。
【請求項７９】
ピアツーピアネットワークにおいて、
ブロードキャストのためにユニキャストリソースを使用するという意図を示す情報を含む第１のブロードキャスト信号を送信することと、
前記ユニキャストリソースにおいて第２のブロードキャスト信号を送信することと
をプロセッサに実行させるためのコード
を備える、コンピュータプログラム。
【請求項８０】
第１のワイヤレスデバイス中のコンピュータプログラムであって、
ブロードキャストのためにユニキャストリソースを使用するという意図を示す情報を含む第１のブロードキャスト信号を第２のワイヤレスデバイスから受信することと、
スケジューリングリソースにおいて前記第２のワイヤレスデバイスから第１のスケジューリング信号を受信することであって、前記第１のスケジューリング信号が、第２のブロードキャスト信号を送信するために前記ユニキャストリソースを使用するという第２の意図を示すためのものである、受信することと、
前記第１のスケジューリング信号に応答して、前記スケジューリングリソースにおいて第２のスケジューリング信号を送信することを控えることと
をプロセッサに実行させるためのコード
を備える、コンピュータプログラム。
【請求項８１】
第１のワイヤレスデバイス中のコンピュータプログラムであって、
第２のブロードキャスト信号を送信するためにユニキャストリソースを使用するという意図を示す情報を含む第１のブロードキャスト信号を第２のワイヤレスデバイスから受信することと、
前記第２のブロードキャスト信号と同時に前記ユニキャストリソース上でデータを送信することを控えることと
をプロセッサに実行させるためのコード
を備える、コンピュータプログラム。
【発明の詳細な説明】
【技術分野】
【０００１】
関連出願の相互参照
本願は、その全体が参照により本明細書に明確に組み込まれる、２０１１年７月７日に出願された「COEXISTENCE OF PRIORITY BROADCAST AND UNICAST IN PEER-TO-PEER NETWORKS」と題する米国仮出願第６１／５０５，４６４号の利益を主張する。
【０００２】
本開示は、一般に通信システムに関し、より詳細には、車両のピアツーピアネットワークなど、ピアツーピアネットワークにおける優先ブロードキャストとユニキャストとの共存に関する。
【背景技術】
【０００３】
車両ネットワークでは、ワイヤレスデバイスは、ブロードキャストチャネルを通じて安全関連のメッセージを周期的に送信することができる。あらゆる送信ワイヤレスデバイスが、他の送信ワイヤレスデバイスから最小限の干渉を受けながら保証された有限遅延でチャネルにアクセスできることを保証するために、周期的および専用のリソースがブロードキャストメッセージのために割り当てられ得る。周期的および専用のリソースを用いると、送信ワイヤレスデバイスとそれらの潜在的な受信ワイヤレスデバイスとの間で、交通安全アプリケーションの低レイテンシ、高信頼性、およびリアルタイムの要件が達成され得る。残りのリソースは、ワイヤレスデバイスが１対１（ピアツーピア）通信に関与することを可能にするために、ユニキャスト通信に割り当てられ得る。しかしながら、いくつかの極めてタイムクリティカルな安全アプリケーションでは、パケットは、オンザフライで生成され、次に割り当てられるブロードキャストスロットを待つことができない。このシナリオでは、ブロードキャストリソースおよびユニキャストリソースの固定割当ては適切でない。したがって、タイムクリティカルな安全アプリケーションにおけるような、パケットの迅速な送信を可能にする方法および装置が必要である。
【発明の概要】
【０００４】
本開示の一態様では、方法、コンピュータプログラム製品、および装置が提供される。該装置は、ブロードキャストのためにユニキャストリソースを使用するという意図を示す情報を含む第１のブロードキャスト信号を送信する。さらに、該装置は、ユニキャストリソースにおいて第２のブロードキャスト信号を送信する。
【０００５】
本開示の一態様では、方法、コンピュータプログラム製品、および装置が提供される。該装置は、第１のワイヤレスデバイスであり、ブロードキャストのためにユニキャストリソースを使用するという意図を示す情報を含む第１のブロードキャスト信号を第２のワイヤレスデバイスから受信する。さらに、該装置は、スケジューリングリソースにおいて第２のワイヤレスデバイスから第１のスケジューリング信号を受信する。第１のスケジューリング信号は、第２のブロードキャスト信号を送信するためにユニキャストリソースを使用するという第２の意図を示すためのものである。さらに、該装置は、第１のスケジューリング信号に応答して、スケジューリングリソースにおいて第２のスケジューリング信号を送信することを控える（refrain）。
【０００６】
本開示の一態様では、方法、コンピュータプログラム製品、および装置が提供される。該装置は、第１のワイヤレスデバイスであり、第２のブロードキャスト信号を送信するためにユニキャストリソースを使用するという意図を示す情報を含む第１のブロードキャスト信号を第２のワイヤレスデバイスから受信する。さらに、該装置は、第２のブロードキャスト信号と同時にユニキャストリソース上でデータを送信することを控える。
【図面の簡単な説明】
【０００７】
【図１】ワイヤレスピアツーピア通信システムを示す図。
【図２】ワイヤレスデバイス間のピアツーピア通信のための例示的な時間構造を示す図。
【図３】スーパーフレームの動作タイムラインと、ピア発見／ブロードキャストチャネルの構造とを示す図。
【図４】接続識別子ブロードキャストの構造を示す図。
【図５】新しい接続識別子の選択を示す図。
【図６】トラフィックチャネルスロットの動作タイムラインと、接続スケジューリングの構造とを示す図。
【図７】データセグメントの構造を示す図。
【図８Ａ】ワイヤレスデバイスのための接続スケジューリングシグナリングスキームを示す第１の図。
【図８Ｂ】ワイヤレスデバイスのための接続スケジューリングシグナリングスキームを示す第２の図。
【図９】例示的な方法を示す図。
【図１０】ワイヤレス通信の第１の方法のフローチャート。
【図１１】ワイヤレス通信の第２の方法のフローチャート。
【図１２】ワイヤレス通信の第３の方法のフローチャート。
【図１３】ワイヤレス通信の第４の方法のフローチャート。
【図１４】ワイヤレス通信の第５の方法のフローチャート。
【図１５】例示的な装置中の異なるモジュール／手段／コンポーネント間のデータフローを示す概念データフロー図。
【図１６】処理システムを採用する装置のためのハードウェア実装の一例を示す図。
【詳細な説明】
【０００８】
添付の図面に関して以下に示す詳細な説明は、様々な構成を説明することを目的としたものであり、本明細書で説明する概念が実施され得る唯一の構成を表すものではない。詳細な説明は、様々な概念の完全な理解を与える目的で、具体的な詳細を含む。しかし、これらの概念がこれらの具体的な詳細なしに実施され得ることが当業者には明らかであろう。いくつかの例では、そのような概念を不明瞭にしないように、よく知られている構造および構成要素をブロック図の形態で示す。
【０００９】
次に、様々な装置および方法を参照して通信システムのいくつかの態様を示す。これらの装置および方法は、以下の詳細な説明において説明され、（「要素」と総称される）様々なブロック、モジュール、構成要素、回路、ステップ、プロセス、アルゴリズムなどによって添付の図面に示される。これらの要素は、電子ハードウェア、コンピュータソフトウェア、またはそれらの任意の組合せを使用して実装され得る。そのような要素をハードウェアとして実装するかソフトウェアとして実装するかは、特定のアプリケーションおよび全体的なシステムに課された設計制約に依存する。
【００１０】
例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および本開示全体にわたって説明される様々な機能を実行するように構成された他の好適なハードウェアが含まれる。処理システム中の１つまたは複数のプロセッサは、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１１】
したがって、１つまたは複数の例示的な実施形態では、説明する機能は、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。上記の組合せも、コンピュータ可読媒体の範囲内に含まれるべきである。
【００１２】
図１は、例示的なピアツーピア通信システム１００の図である。ピアツーピア通信システム１００は、ワイヤレスデバイス１０６、１０８、１１０、１１２をそれぞれ備えた車両１０６’、１０８’、１１０’、１１２’を含む。ピアツーピア（または車両対車両）通信システム１００は、たとえば、ワイヤレスワイドエリアネットワーク（ＷＷＡＮ）など、セルラー通信システムとオーバーラップし得る。ワイヤレスデバイス１０６、１０８、１１０、１１２のうちのいくつかは、ピアツーピア通信において互いに通信し、いくつかは基地局１０４と通信し、いくつかは両方を行い得る。たとえば、図１に示すように、ワイヤレスデバイス１０６、１０８は、ピアツーピア通信をしており、ワイヤレスデバイス１１０、１１２は、ピアツーピア通信をしている。ワイヤレスデバイス１１２は、また、基地局１０４とも通信している。
【００１３】
ワイヤレスデバイスは、代替的に、当業者によって、ユーザ機器（ＵＥ）、移動局、加入者局、モバイルユニット、加入者ユニット、ワイヤレスユニット、ワイヤレスノード、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。基地局は、代替的に、当業者によって、アクセスポイント、送受信基地局、無線基地局、無線トランシーバ、トランシーバ機能、基本サービスセット（ＢＳＳ）、拡張サービスセット（ＥＳＳ）、ノードＢ、発展型ノードＢ、または何らかの他の好適な用語で呼ばれることがある。
【００１４】
以下で説明する例示的な方法および装置は、たとえば、ＦｌａｓｈＬｉｎＱ、ＶＬｉｎＱ、ＷｉＭｅｄｉａ、Ｂｌｕｅｔｏｏｔｈ（登録商標）、ＺｉｇＢｅｅ、またはＩＥＥＥ８０２．１１規格に基づくＷｉ−Ｆｉに基づいたワイヤレスピアツーピア通信システムなど、様々なワイヤレスピアツーピア通信システムのいずれにも適用可能である。説明を簡略化するために、例示的な方法および装置についてＶＬｉｎＱのコンテキスト内で説明することがある。ただし、例示的な方法および装置が様々な他のワイヤレスピアツーピア通信システムにより一般的に適用可能であることが当業者には理解されよう。
【００１５】
図２は、ワイヤレスデバイス間のピアツーピア通信のための例示的な時間構造を示す図２００である。ウルトラフレームは６４０秒であり、１０個のメガフレームを含む。各メガフレームは６４秒であり、６４個のグランドフレームを含む。各グランドフレームは１秒であり、１０個のスーパーフレームを含む。各スーパーフレームは１００ｍｓであり、２つのビッグフレームを含む。各ビッグフレームは５０ｍｓである。ビッグフレームは、また、フレームとも呼ばれる。
【００１６】
図３は、スーパーフレームの動作タイムラインと、ピア発見／ブロードキャストチャネルの例示的な構造とを示す図３２０である。スーパーフレームは、インバンドタイミングチャネルと、ピア発見／ブロードキャストチャネルと、ピアページングチャネルと、データトラフィックチャネル（ＴＣＣＨ）とを含む。ピア発見／ブロードキャストチャネルは、ピア発見／ブロードキャスト情報を通信するためのＪ個のブロック（たとえば、７５個）を含み得る。各ブロックはＩ個のサブブロック（たとえば、１１２個）を含み得る。各サブブロックは、同じサブキャリアにおいて複数の直交周波数分割多重（ＯＦＤＭ）シンボル（たとえば、２２個）を含み得る。異なるブロックは、異なるピア発見リソース識別子（ＰＤＲＩＤ：peer discovery resource identifiers）に対応し得る。たとえば、第１のＰＤＲＩＤは、ｊ＝１におけるブロックに対応し得、第２のＰＤＲＩＤは、ｊ＝２におけるブロックに対応し得る、などである。
【００１７】
電源を投入すると、ワイヤレスデバイスは、ある時間期間についてピア発見／ブロードキャストチャネルをリッスンし、ＰＤＲＩＤの各々上の決定されたエネルギーに基づいてＰＤＲＩＤを選択する。たとえば、ワイヤレスデバイスは、ｊ＝３におけるブロック３２２に対応するＰＤＲＩＤを選択し得る。特定のＰＤＲＩＤは、ホッピングにより他のスーパーフレーム中の他のブロックにマッピングし得る。選択されたＰＤＲＩＤに関連するブロック中で、ワイヤレスデバイスは、それのピア発見／ブロードキャスト信号を送信する。選択されたＰＤＲＩＤに無関連のブロック中で、ワイヤレスデバイスは、他のワイヤレスデバイスによって送信されたピア発見／ブロードキャスト信号をリッスンする。
【００１８】
ワイヤレスデバイスがＰＤＲＩＤ衝突を検出した場合、該ワイヤレスデバイスは、また、ＰＤＲＩＤを再選択し得る。すなわち、ワイヤレスデバイスは、それのＰＤＲＩＤに対応するブロードキャストリソース上のエネルギーを検出するために、それの利用可能なピア発見／ブロードキャストリソース（本明細書では「ブロードキャストリソース」と呼ぶ）上で送信するのではなくリッスンし得る。ワイヤレスデバイスはまた、他のＰＤＲＩＤに対応する他のブロードキャストリソース上のエネルギーを検出し得る。ワイヤレスデバイスは、それのＰＤＲＩＤに対応するブロードキャストリソース上の決定されたエネルギーと、他のＰＤＲＩＤに対応する他のブロードキャストリソース上の検出されたエネルギーとに基づいてＰＤＲＩＤを再選択し得る。
【００１９】
図４は、接続識別子（ＣＩＤ）ブロードキャストの構造を示す図３３０である。ピアページングチャネルは、ページ要求チャネルと、ＣＩＤブロードキャストチャネルと、ページ応答チャネルと、ページ確認チャネルとを含む。ＣＩＤブロードキャストチャネルは、新しい接続についてＣＩＤ割当てのための分散プロトコルを与え、ＣＩＤ衝突検出のためのメカニズムを与え、通信ピアとのそれのリンク接続が依然として存在するという証拠をワイヤレスデバイスに与える。ＣＩＤは、ピアツーピア通信中の２つのワイヤレスデバイス間のリンクを定義し、ピアツーピア通信のために利用され得るデータトラフィックリソースを定義する。
【００２０】
ＣＩＤブロードキャストの構造は、４つのブロックを含み得、ブロックの各々は、複数のリソースエレメント、すなわち、周波数領域における複数のサブキャリア、および時間領域におけるＯＦＤＭシンボルを含んでいる。４つのブロックの各々は、複数のサブキャリア（たとえば、２８個のサブキャリア）にわたり、１６個のＯＦＤＭシンボルを含み得る。１つのリソースエレメント（またはトーン）は、１つのサブキャリアおよび１つのＯＦＤＭシンボルに対応する。
【００２１】
各ＣＩＤについて、隣接するＯＦＤＭシンボル中のリソースエレメントのペアが、ＣＩＤブロードキャストのための４つのブロックの各々において割り当てられる。隣接するリソースエレメントのペアにおいて、第１のリソースエレメントは、ＴＣＣＨ中で送信するために使用される電力に比例するエネルギーを搬送し、第２のリソースエレメントは、ＴＣＣＨ中で受信された電力に反比例するエネルギーを搬送する。所与のＣＩＤについて、リソースエレメントの各ペアは、固定ＯＦＤＭシンボル位置と、各スーパーフレームを変化させるブロック内の変化するサブキャリアとを有する。所与の任意のリンクにおいて、リンクを開始したワイヤレスデバイスは、ＣＩＤブロードキャストのためにブロック０およびブロック２からブロックをランダムに選択し、リンク中の他のワイヤレスデバイスは、ＣＩＤブロードキャストのためにブロック１およびブロック３からブロックをランダムに選択する。したがって、特定のＣＩＤについて、割り当てられたリソースの半分だけがそのＣＩＤとのリンクによって利用される。ブロックのランダムな選択により、第２のワイヤレスデバイスとのリンク中の第１のワイヤレスデバイスは、異なるリンク中の第３のワイヤレスデバイスまたは第４のワイヤレスデバイスが、第１のワイヤレスデバイスまたは第２のワイヤレスデバイスによって選択されたブロックとは異なるブロックを使用してＣＩＤブロードキャストを送信するときに、ＣＩＤ衝突を検出することが可能になる。
【００２２】
図５は、新しいＣＩＤの選択を示すための図３３５である。ノードＡおよびノードＢがリンク中であり、ＣＩＤ＝４をもつノードＡがＣＩＤブロードキャストのためにブロック０を選択すると仮定する。ノードＡは、ＣＩＤブロードキャストのためにリソースエレメント３３２、３３４を割り当てられ得る。リソースエレメント３３２では、ノードＡは電力ＰAで送信する。リソースエレメント３３４では、ノードＡは、電力Ｋ／ＰB｜ｈBA｜2で送信し、ここで、ＰBはノードＢが送信する電力であり、｜ｈBA｜2はノードＢとノードＡとの間の経路損失であり、Ｋはすべてのノードに知られている定数である。後続のスーパーフレームでは、ノードＡは、異なるサブキャリアであるが同じ相対的ＯＦＤＭシンボル位置（すなわち、この例では、選択されたブロックの第１および第２のＯＦＤＭシンボル）をもつリソースエレメントの異なるペアを有し得る。ノードＣおよびノードＤがリンク中であり、ノードＣがノードＡおよびノードＢからブロードキャストされたＣＩＤを受信すると仮定する。ノードＣは、リソースエレメント３３２中でＰA｜ｈAC｜2に等しい電力で送信を受信し、ここで、｜ｈAC｜2はノードＡとノードＣとの間の経路損失であり、リソースエレメント３３４中での送信はＫ｜ｈAC｜2／ＰB｜ｈBA｜2に等しい電力である。ノードＣは、ＰB｜ｈBC｜2およびＫ｜ｈBC｜2／ＰA｜ｈAB｜2に等しい電力でノードＢからブロードキャストされたＣＩＤを受信し、ここで、｜ｈBC｜2はノードＢとノードＣとの間の経路損失であり、｜ｈAB｜2はノードＡとノードＢとの間の経路損失である。ノードＣは、ＰD｜ｈDC｜2およびＫ／ＰC（すなわち、Ｋ｜ｈDC｜2／ＰC｜ｈCD｜2）の電力でノードＤからブロードキャストされたＣＩＤを受信し、ここで、ＰDはノードＤが送信する電力であり、｜ｈDC｜2はノードＤとノードＣとの間の経路損失であり、ＰCはノードＣが送信する電力であり、｜ｈCD｜2はノードＣとノードＤとの間の経路損失である（チャネルｈCDとチャネルｈDCとは等しいと仮定される）。ノードＣ、ＤのＣＩＤがノードＡ、ＢのＣＩＤと同じであるようにＣＩＤ衝突がある場合、スケジュールされた場合にノードＣがリーズナブルな信号対干渉比（ＳＩＲ）を予想しない限り、ノードＣは新しいＣＩＤを選択し、ノードＣは、ノードＡまたはノードＢにあまり多くの干渉を引き起こさない。すなわち、
【数１】
0005739067.tif 000002
【００２３】
または
【数２】
0005739067.tif 000003
【００２４】
である場合、ノードＣは新しいＣＩＤを選択し、ここで、γRおよびγTはしきい値である。
【００２５】
図６は、ＴＣＣＨスロットの動作タイムラインと、接続スケジューリングの構造とを示す図３４０である。図６に示すように、ＴＣＣＨスロットは、接続スケジューリング、レートスケジューリング、データセグメント、およびＡＣＫという４つのサブチャネルを含む。レートスケジューリングサブチャネルは、パイロットセグメントとＣＱＩセグメントとを含む。ＡＣＫサブチャネルは、データセグメントサブチャネル中で受信されたデータに応答してＡＣＫまたは否定ＡＣＫ（ＮＡＣＫ）を送信するためのものである。接続スケジューリングサブチャネルは、２つのブロック、すなわち、より高い優先度のブロックＨとより低い優先度のブロックＬとを含む。ブロックＨおよびブロックＬの各々は、複数のリソースエレメント、すなわち、周波数領域における複数のサブキャリア、および時間領域におけるＯＦＤＭシンボルを含んでいる。ブロックＨおよびブロックＬの各々は、複数のサブキャリアにわたり、Ｔｘｐブロック中の４つのＯＦＤＭシンボルと、Ｔｘブロック中の４つのＯＦＤＭシンボルと、Ｒｘブロック中の４つのＯＦＤＭシンボルとを含む。１つのリソースエレメント（またはトーン）は、１つのサブキャリアと１つのＯＦＤＭシンボルとに対応する。
【００２６】
各リンクはＣＩＤを有する。ＣＩＤに基づいて、特定のＴＣＣＨスロットについて、リンク中のワイヤレスデバイスは、ブロックＨまたはブロックＬ内で特定のサブキャリアにおいて、Ｔｘｐブロック、Ｔｘブロック、およびＲｘブロックの各々で同じそれぞれのＯＦＤＭシンボル位置のリソースエレメントを割り当てられる。たとえば、特定のＴＣＣＨスロットでは、スケジューリング制御信号を送信／受信するために、ブロックＨのＴｘｐブロック中のリソースエレメント３４２と、ブロックＨのＴｘブロック中のリソースエレメント３４４と、ブロックＨのＲｘブロック中のリソースエレメント３４６とに、ＣＩＤ＝４のリンクが割り当てられ得る。Ｔｘブロック中の送信要求信号は、データセグメントを送信するための電力に等しい電力で送信される。Ｒｘブロック中の送信要求応答信号は、受信された送信要求信号の電力の逆数に比例する電力で送信される。Ｔｘｐブロック、Ｔｘブロック、およびＲｘブロックについてリソースエレメントが割り当てられるトリオは、サブキャリア（たとえば、ｋ個の異なるサブキャリア）と、各ＴＣＣＨスロット中のそれぞれのＯＦＤＭシンボル（たとえば、８個の異なるＯＦＤＭシンボル−ブロックＨ中の４個およびブロックＬ中の４個）とに関して変動する。
【００２７】
リンクに割り当てられたリソースエレメントのトリオは、リンクの媒体アクセス優先度を指示する。たとえば、リソースエレメント３４２、３４４、３４６のトリオは、ｉ＝２およびｊ＝１に対応する。媒体アクセス優先度は、ｋｉ＋ｊ＋１に等しく、ここで、ｉは、Ｔｘｐ、Ｔｘ、およびＲｘサブブロックの各々におけるそれぞれのＯＦＤＭシンボルであり、ｊはサブキャリアであり、ｋはサブキャリアの数である。したがって、ｋ＝２８であるとすると、リソースエレメント３４２、３４４、３４６は、５８の媒体アクセス優先度に対応する。
【００２８】
図７は、データセグメントの構造を示す図３５０である。データセグメントは、周波数領域中の複数のサブキャリアと、時間領域中のＯＦＤＭシンボルとにわたる、複数のリソースエレメントを含んでいる。リソースエレメント３５４など、データセグメント中のリソースエレメントの一部は、データセグメントのために使用されたコーディングおよび／または変調に関するレートインジケータ情報を搬送し得る。リソースエレメント３５２など、データセグメント中の他のリソースエレメントは、復調および復号のためのチャネルを推定することを可能にするためにパイロットを搬送し得る。
【００２９】
図８Ａは、ワイヤレスデバイス１００のための例示的な接続スケジューリングシグナリングスキームを示すための第１の図３６０である。図８Ａに示すように、ワイヤレスデバイスＡはワイヤレスデバイスＢと通信しており、ワイヤレスデバイスＣはワイヤレスデバイスＤと通信しており、ワイヤレスデバイスＥはワイヤレスデバイスＦと通信している。ワイヤレスデバイスＡは、ワイヤレスデバイスＢに勝る送信優先度を有すると仮定され、ワイヤレスデバイスＣは、ワイヤレスデバイスＤに勝る送信優先度を有すると仮定され、ワイヤレスデバイスＥは、ワイヤレスデバイスＦに勝る送信優先度を有すると仮定される。リンクの各々は、通信のための特定のスロットに応じて、異なる媒体アクセス優先度を有する。通信のための特定のスロットについて、リンク１（Ａ、Ｂ）は、２の媒体アクセス優先度を有すると仮定され、リンク２（Ｃ、Ｄ）は、１の媒体アクセス優先度を有すると仮定され、リンク３（Ｅ、Ｆ）は、７の媒体アクセス優先度を有すると仮定される。
【００３０】
図８Ｂは、ワイヤレスデバイスのための例示的な接続スケジューリングシグナリングスキームを示すための第２の図３７０である。図８Ｂは、接続スケジューリングサブチャネル中の（媒体アクセス優先度１〜ｋに対応する）ブロックＨ中のＴｘｐ、Ｔｘ、およびＲｘサブブロックの第１のそれぞれのＯＦＤＭシンボルの接続スケジューリングリソース（ｉ＝０、図６参照）を示す。接続スケジューリングリソースは、複数のサブキャリアを含み、サブキャリアの各々は、ｋ個の周波数帯域のうちの１つに対応する。周波数帯域の各々は、特定の媒体アクセス優先度に対応する。接続スケジューリングリソース中の１つのブロックは、Ｔｘｐ、ＴｘおよびＲｘという３つのサブブロック／フェーズに分割される。Ｔｘｐブロックは、送信優先度をもつノードが送信機または受信機の役割を果たすかどうかを示すために、リンク中の送信優先度をもつノードによって使用される。送信優先度をもつノードがＴｘｐブロック中の割り当てられたＯＦＤＭシンボル上で送信する場合、送信優先度をもつノードは、送信機の役割を果たすという意図を、送信優先度をもたないノードに示す。送信優先度をもつノードがＴｘｐブロックにおいて割り当てられたＯＦＤＭシンボル上で送信しない場合、送信優先度をもつノードは、受信機の役割を果たすという意図を、送信優先度をもたないノードに示す。Ｔｘブロックは、スケジュールされることを要求するために潜在的な送信機によって使用される。送信機は、トラフィックチャネルのために使用された電力（すなわち、データセグメントを送信するための電力）に等しい電力で、Ｔｘブロック中の割り当てられたＯＦＤＭシンボル上で直接電力信号（direct power signal）を送信する。各々の潜在的な受信機は、Ｔｘブロックにおいてトーンをリッスンし、それ自体のリンクの送信機に割り当てられたＴｘブロック上の受信電力とＴｘブロックの各々上の受信電力とを比較し、他のリンク媒体アクセス優先度に対するそれ自体のリンク媒体アクセス優先度と、比較とに基づいて、Ｒｘ譲歩（yield）すべきかどうかを決定する。
【００３１】
たとえば、ノードＡ、Ｄ、およびＥが、それぞれＰA、ＰD、およびＰEに等しい電力で、Ｔｘブロック中で送信要求信号を送信すると仮定する。ノードＢは、ＰA｜ｈAB｜2に等しい電力でノードＡから送信要求信号を受信し、ここで、｜ｈAB｜2はノードＡとノードＢとの間の経路損失である。ノードＢは、ＰD｜ｈDB｜2に等しい電力でノードＤから送信要求信号を受信し、ここで、｜ｈDB｜2はノードＤとノードＢとの間の経路損失である。ノードＢは、ＰE｜ｈEB｜2に等しい電力でノードＥから送信要求信号を受信し、ここで、｜ｈEB｜2はノードＥとノードＢとの間の経路損失である。ノードＢは、Ｒｘ譲歩すべきかどうかを決定するために、ノードＡからの受信した送信要求信号の電力を、より高い優先度をもつ他のノードからの受信した送信要求信号の電力の和によって除算したものを、しきい値と比較する。ノードＢは、スケジュールされた場合に該ノードＢがリーズナブルなＳＩＲを予想する場合、Ｒｘ譲歩を行わない。すなわち、ＰA｜ｈAB｜2／ＰD｜ｈDB｜2＞γRXでない限り、ノードＢはＲｘ譲歩し、ここで、γRXはしきい値（たとえば、９ｄＢ）である。
【００３２】
Ｒｘブロックは、潜在的な受信機によって使用される。受信機がＲｘ譲歩を選択した場合、受信機はＲｘブロック中の割り当てられたＯＦＤＭシンボルにおいて送信せず、選択しない場合、受信機は、それ自体のリンクの送信機からの受信した直接電力信号の電力の逆数に比例する電力で、Ｒｘブロック中の割り当てられたＯＦＤＭシンボルにおいて逆エコー電力信号を送信する。送信機のすべては、データセグメントの送信をＴｘ譲歩すべきかどうか決定するために、Ｒｘブロック中のトーンをリッスンする。
【００３３】
たとえば、ＰD｜ｈDC｜2に等しい電力でノードＤから送信要求信号を受信したノードＣは、Ｋ／ＰD｜ｈDC｜2に等しい電力で、Ｒｘブロックにおいて送信要求応答信号を送信し、ここで、｜ｈDC｜2は、ノードＤとノードＣとの間の経路損失であり、Ｋはすべてのノードに知られている定数である。ノードＡは、Ｋ｜ｈCA｜2／ＰD｜ｈDC｜2に等しい電力でノードＣから送信要求応答信号を受信し、ここで、｜ｈCA｜2はノードＣとノードＡとの間の経路損失である。ノードＡがノードＣに対してあまりに多くの干渉を引き起こす場合、ノードＡはＴｘ譲歩する。すなわち、ＰD｜ｈDC｜2／ＰA｜ｈCA｜2＞γTXでない限り、ノードＡはＴｘ譲歩し、ここで、γTXはしきい値（たとえば、９ｄＢ）である。
【００３４】
接続スケジューリングシグナリングスキームは、一例に関連して最も良く説明される。ノードＣは、送信すべきデータをもたず、媒体アクセス優先度１についてＴｘｐブロック中で送信せず、ノードＡは、送信すべきデータを有し、媒体アクセス優先度２についてＴｘｐブロック中で送信し、ノードＥは、送信すべきデータを有し、媒体アクセス優先度７についてＴｘｐブロック中で送信する。ノードＤは、送信すべきデータを有し、媒体アクセス優先度１のＴｘブロック中で送信し、ノードＡは、媒体アクセス優先度２についてＴｘブロック中で送信し、ノードＥは、媒体アクセス優先度７についてＴｘブロック中で送信する。ノードＣは、Ｔｘブロック中のトーンをリッスンし、ノードＣが最も高い優先度を有するので、媒体アクセス優先度１についてＲｘブロック中で送信することを決定する。ノードＢは、Ｔｘブロック中のトーンをリッスンし、それのリンクがより高い媒体アクセス優先度を有するリンク２からはあまり多くの干渉を受けないと決定し、媒体アクセス優先度２についてＲｘブロック中で送信する。ノードＦは、Ｔｘブロック中のトーンをリッスンし、それのリンクは、それら両方がより高い媒体アクセス優先度を有するリンク１および／またはリンク２からはあまり多くの干渉を受けないと決定し、媒体アクセス優先度７についてＲｘブロック中で送信しないことによってＲｘ譲歩する。その後、ノードＤとノードＡの両方は、データを送信すべきかどうかを決定するためにＲｘブロック中のトーンをリッスンする。ノードＤはノードＡよりも高いリンク媒体アクセス優先度を有するので、ノードＤはそれのデータを送信する。ノードＡがそれの送信がノードＤからの送信に干渉することになると決定した場合、ノードＡはデータの送信をＴｘ譲歩する。
【００３５】
図９は、例示的な方法を示す図４００である。各スーパーフレーム中で、ワイヤレスデバイス４０２は、ブロードキャストメッセージを送るためにピア発見／ブロードキャストリソース（図３参照）を割り当てられる。さらに、そのＣＩＤ（図４および図５参照）に基づいて、ワイヤレスデバイス４０２は、別のワイヤレスデバイスとピアツーピア通信においてデータを送るためのユニキャストリソース（すなわち、図７のデータセグメント）について競合し得る。競合は、図６、図８Ａ、図８Ｂに関して説明するように、接続スケジューリングを介して生じる。例示的な方法によれば、ワイヤレスデバイス４０２は、ブロードキャストメッセージを送るためにユニキャストリソースを利用する。ワイヤレスデバイス４０２は、追加のブロードキャスト情報を低レイテンシで送信する必要があることに起因して、ブロードキャストメッセージを送信するためにユニキャストリソースを利用することを決定し得る。追加情報は、割り当てられたブロードキャストリソースにおいて高速に送信するには多すぎることがあり、または次に割り当てられるブロードキャストリソースまで待つには緊急すぎることがある。ワイヤレスデバイス４０２は、ブロードキャストのためにユニキャストリソースを使用するという意図を示す情報を含む第１のブロードキャスト信号４５２を送信する。ユニキャストリソースを使用するという意図を示す情報は、ブロードキャストのために使用される実際のユニキャストリソースを示す情報であり得る。第１のブロードキャスト信号４５２は、ピア発見／ブロードキャストチャネル内の割り当てられたブロードキャストリソースにおいて送信される。その後、ワイヤレスデバイスは、ユニキャストリソースにおいて第２のブロードキャスト信号４５４中の追加情報を送信する。
【００３６】
ブロードキャストのためにユニキャストリソースを使用するという意図を送信することに加えて、ワイヤレスデバイス４０２は、接続スケジューリング中にスケジューリングリソースにおけるスケジューリング信号４５６の送信を通じてユニキャストリソースを使用するという第２の意図を通信し得る。スケジューリングリソースは、最も高い優先度のリソースであり得る。たとえば、ワイヤレスデバイス４０２は、Ｔｘフェーズにおける最も高い優先度のリソース中（たとえば、図６のｉ，ｊ＝０，０におけるブロックＬまたはＨ）で送信し得る。第１のブロードキャスト信号４５２およびスケジューリング信号４５６の送信は、それぞれ独立して、同時送信がワイヤレスデバイス４０２による送信からあまりに多くの干渉を受けるかどうかを、他のワイヤレスデバイスが確認することを可能にする。ワイヤレスデバイス４０２はまた、ユニキャストリソースを使用するという第２の意図を通信するという意図を通信し得る。たとえば、ワイヤレスデバイス４０２は、Ｔｘｐフェーズにおいて送信し得る。
【００３７】
ワイヤレスデバイス４０４、４０６、４０８、４１０、４１２はスケジューリング信号４５６の範囲内にあるので、それらはスケジューリング信号（エコースケジューリング信号とも呼ばれる）で応答し得、その結果、他のワイヤレスデバイスは、それらの送信がエコースケジューリング信号で応答したワイヤレスデバイスへの干渉を引き起こすかどうかを確認し得、または他の場合には、他のワイヤレスデバイスは、それらの送信が、ワイヤレスデバイス４０２から第２のブロードキャスト信号４５４を受信するワイヤレスデバイスへの干渉を引き起こすかどうかを確認し得る。たとえば、ワイヤレスデバイス４０４、４０６、４０８、４１０、４１２がＴｘフェーズにおいて信号を受信するとき、それらはＲｘフェーズにおいて応答し得る。しかしながら、複数のワイヤレスデバイスがＲｘフェーズにおいて同時に応答するときには、応答信号が互いに干渉することがある。したがって、一構成では、ワイヤレスデバイス４０２に比較的近接したワイヤレスデバイスは、ある特定の確率でＲｘフェーズにおいて送信することを控え得る。たとえば、ワイヤレスデバイス４０２に比較的近接したワイヤレスデバイス４０４、４０６はそれぞれ、Ｒｘフェーズにおいて送信することを控えることを決定し得る。ワイヤレスデバイス４０２は、ワイヤレスデバイス４０２に比較的近接したワイヤレスデバイス４０４、４０６のためにＲｘフェーズにおいてスケジューリング信号４５８を送信し得る。ワイヤレスデバイス４０２は、特定の距離内のワイヤレスデバイスの密度が密度しきい値よりも大きいときには、他のワイヤレスデバイスのためにＲｘフェーズにおいて送信することを決定し得る。ワイヤレスデバイス４０２は、ワイヤレスデバイス４０４、４０６からそれぞれ受信したブロードキャスト信号内のロケーション情報（たとえば、全地球測位システム（ＧＰＳ）情報）を介して、ワイヤレスデバイス４０４、４０６の距離を決定し得る。
【００３８】
上記で説明したように、ワイヤレスデバイス４０４〜４１２は、ワイヤレスデバイス４０２からブロードキャスト信号４５２を受信する。ブロードキャスト信号４５２は、ブロードキャストのためにユニキャストリソースを使用するという意図を示す情報を含む。さらに、ワイヤレスデバイス４０４〜４１２は、ワイヤレスデバイス４０２からスケジューリング信号４５６（たとえば、Ｔｘ信号）を受信する。スケジューリング信号４５６は、ブロードキャスト信号４５４を送信するためにユニキャストリソースを使用するという第２の意図を示す。ワイヤレスデバイス４０４、４０６は、それらがワイヤレスデバイス４０２に比較的近接しているので、Ｒｘフェーズにおいて応答を送信することを控える。しかしながら、ワイヤレスデバイス４０８、４１０、４１２はワイヤレスデバイス４０２からさらに遠いので、それらはより高い確率でＲｘフェーズにおいて送信することを決定し得る。しかしながら、ワイヤレスデバイス４０８、４１０、４１２のいずれかが、ワイヤレスデバイスの高い集中が近くにあることを決定した場合、ワイヤレスデバイスは、それがＲｘフェーズにおいて送信する確率を低減し得る。たとえば、図９に示すように、ワイヤレスデバイス４０８は、スケジューリング信号４５６に応答してＲｘフェーズにおいてスケジューリング信号４６０を送信する。ワイヤレスデバイス４１０は、ワイヤレスデバイス４１２が近くにあると決定し、ワイヤレスデバイス４１２は、ワイヤレスデバイス４１０が近くにあると決定する。したがって、両方が、Ｒｘフェーズにおいて送信するそれらの確率を低下させる。低下させられた確率に基づいて、ワイヤレスデバイス４１０は、スケジューリング信号４５６に応答してＲｘフェーズにおいてスケジューリング信号４６２を送信し、ワイヤレスデバイス４１２はＲｘフェーズにおいて送信することを控える。
【００３９】
ブロードキャスト信号４５２またはスケジューリング信号４５６を受信する範囲外にあるが、スケジューリング信号４６２を受信する範囲内にあるワイヤレスデバイス４１４は、（Ｒｘ送信４６２が最高優先度ピア発見／ブロードキャストリソースにおいて送信されるので）それのＣＩＤ優先度が最高優先度でない場合、受信したスケジューリング信号４６２に基づいてそれのデータ送信を譲歩する（たとえば、Ｔｘ譲歩する）ことを決定する。ブロードキャスト信号４５２とスケジューリング信号４５６とを受信する範囲内にあるワイヤレスデバイス４１６は、それのデータ送信が第２のブロードキャスト信号４５４の送信と同時になる場合、受信したブロードキャスト信号４５２および／またはスケジューリング信号４５６に基づいてそれのデータ送信を控えることを決定する。ブロードキャスト信号４５２またはスケジューリング信号４５６を受信する範囲外にあり、エコースケジューリング信号を受信する範囲外にあるワイヤレスデバイス４１８は、ワイヤレスデバイス４０２と同時にユニキャストリソースを使用し得る。したがって、ワイヤレスデバイス４１８は、別のピアにデータを送信し、または第２のブロードキャスト信号４５４の送信と同時にブロードキャストメッセージを送信し得る。
【００４０】
図１０は、ワイヤレス通信の第１の方法のフローチャート５００である。該方法は、たとえば、ワイヤレスデバイス４０２などのワイヤレスデバイスによって実行され得る。図１０に示されるように、ステップ５０２において、ワイヤレスデバイスは、追加のブロードキャスト情報を低レイテンシで送信する必要があることに起因して、第２のブロードキャスト信号を送信するためにユニキャストリソースを利用することを決定する。ユニキャストリソースを通じて、ワイヤレスデバイスは、（１００ｍｓ内で次のスーパーフレームにおいて利用可能であり得る）次の専用ピア発見／ブロードキャストリソースよりも早く追加のブロードキャスト情報を送信し得る。ステップ５０４において、ワイヤレスデバイスは、ブロードキャストのためにユニキャストリソースを使用するという意図を示す情報を含む第１のブロードキャスト信号を送信する。第１のブロードキャスト信号は、ブロードキャストメッセージをさらに含み得る。ブロードキャストのためにユニキャストリソースを使用するという意図を示す情報は、ブロードキャストのために使用されるユニキャストリソースを示す情報を含み得る。一構成では、ワイヤレスデバイスは、ワイヤレスデバイスがブロードキャストのために使用することを意図する複数のユニキャストリソースを示し得る。そのような構成では、ワイヤレスデバイスは、ワイヤレスデバイスがブロードキャストのために１つまたは複数のスーパーフレーム内のどのＴＣＣＨおよび／またはどのスーパーフレームを使用することを意図するかを示す情報を提供し得る。ステップ５０６において、ワイヤレスデバイスは、ユニキャストリソースを使用するという第２の意図を通信するという意図を通信する。ワイヤレスデバイスは、第２のスケジューリング信号を（たとえば、Ｔｘフェーズにおいて）送信するという意図を示す第１のスケジューリング信号を（たとえば、Ｔｘｐフェーズにおいて）送信することによって、ユニキャストリソースを使用するという第２の意図を通信するという意図を通信し得る。ステップ５０８において、ワイヤレスデバイスは、（たとえば、Ｔｘフェーズにおける）複数のスケジューリングリソースのうちの１つのスケジューリングリソースにおいてユニキャストリソースを使用するという第２の意図を通信する。ステップ５１０において、ワイヤレスデバイスは、ユニキャストリソースにおいて第２のブロードキャスト信号を送信する。
【００４１】
複数のスケジューリングリソース（図６参照）は、それぞれ、異なる関連優先度を有し得、第２の意図がそこにおいて送信されるスケジューリングリソース（たとえば、図６のｉ，ｊ＝０，０におけるブロックＬまたはＨ）が最も高い優先度を有し得る。ワイヤレスデバイスは、第２のブロードキャスト信号の送信の意図された電力に等しい電力で（たとえば、Ｔｘフェーズにおいて）スケジューリング信号を送信することによって、ユニキャストリソースを使用するという第２の意図を通信し得る。
【００４２】
図１１は、ワイヤレス通信の第２の方法のフローチャート６００である。該方法は、たとえば、ワイヤレスデバイス４０２などのワイヤレスデバイスによって実行され得る。図１１に示されるように、ステップ６０２において、ワイヤレスデバイスは、少なくとも１つのワイヤレスデバイスまでの距離を決定する。ステップ６０４において、ワイヤレスデバイスは、また、しきい値距離内の少なくとも１つのワイヤレスデバイスの各々の近傍のワイヤレスデバイスの密度を決定する。ステップ６０６において、ワイヤレスデバイスは、少なくとも１つのワイヤレスデバイスのいずれかについて、距離がしきい値距離よりも小さいかどうかを決定する。ワイヤレスデバイスがステップ６０４を実行した場合、ステップ６０６において、ワイヤレスデバイスは、また、少なくとも１つのワイヤレスデバイスの各々の近傍内のワイヤレスデバイスの密度が密度しきい値よりも大きいかどうかを決定する。少なくとも１つのワイヤレスデバイスのいずれかについて、距離がしきい値距離よりも小さい（および密度が密度しきい値よりも大きい）場合、ステップ６０８において、ワイヤレスデバイスは、（たとえば、Ｒｘフェーズにおいて）少なくとも１つのワイヤレスデバイスについて第２のスケジューリング信号を送信する。少なくとも１つのワイヤレスデバイスのすべてについて、距離がしきい値距離よりも大きい（または、密度が密度しきい値よりも小さい）場合、ステップ６１０において、ワイヤレスデバイスは、（たとえば、Ｒｘフェーズにおいて）少なくとも１つのワイヤレスデバイスについて第２のスケジューリング信号を送信しない。
【００４３】
図１２は、ワイヤレス通信の第３の方法のフローチャート７００である。該方法は、たとえば、ワイヤレスデバイス４０２などのワイヤレスデバイスによって実行され得る。該方法は、ステップ６０２において少なくとも１つのワイヤレスデバイスまでの距離を決定するために実行され得る。図１２に示されるように、ステップ７０２において、ワイヤレスデバイスは、少なくとも１つのワイヤレスデバイスの各々からブロードキャスト信号を受信する。各ブロードキャスト信号は、少なくとも１つのワイヤレスデバイスの対応するワイヤレスデバイスのロケーション（たとえば、ＧＰＳロケーション）を含み得る。ステップ７０４において、ワイヤレスデバイスは、それの現在ロケーションを（たとえば、ＧＰＳを通じて）決定する。次いで、ステップ７０６において、ワイヤレスデバイスは、対応するワイヤレスデバイスまでの距離を決定するために、現在ロケーションを対応するワイヤレスデバイスのロケーションと比較する。
【００４４】
図１３は、ワイヤレス通信の第４の方法のフローチャート８００である。該方法は、たとえば、ワイヤレスデバイス４０６などのワイヤレスデバイスによって実行され得る。図１３に示されるように、ステップ８０２において、第１のワイヤレスデバイスは、ブロードキャストのためにユニキャストリソースを使用するという意図を示す情報を含む第１のブロードキャスト信号（たとえば、信号４５２）を第２のワイヤレスデバイス（たとえば、ワイヤレスデバイス４０２）から受信する。ステップ８０４において、第１のワイヤレスデバイスは、スケジューリングリソースにおいて第２のワイヤレスデバイスから第１のスケジューリング信号（たとえば、Ｔｘフェーズにおいて、信号４５６）を受信する。第１のスケジューリング信号は、第２のブロードキャスト信号を送信するためにユニキャストリソースを使用するという第２の意図を示し得る。ステップ８０６において、第１のワイヤレスデバイスは、第２のワイヤレスデバイスまでの距離および／または第１のワイヤレスデバイスの近傍内のワイヤレスデバイスの密度を決定する。ステップ８０８において、第１のワイヤレスデバイスは、決定された距離および／または密度に基づいて、第１のスケジューリング信号に応答して（たとえば、Ｒｘフェーズにおいて）第２のスケジューリング信号を送信することを控えるべきかどうかを決定する確率を調整する。たとえば、第１のワイヤレスデバイスと第２のワイヤレスデバイスとの間の距離が減少するにつれて、第１のワイヤレスデバイスは、第１のスケジューリング信号に応答して第２のスケジューリング信号を送信することを控える確率を増加させ得る。別の例では、第１のワイヤレスデバイスの近傍内のワイヤレスデバイスの密度が増加するにつれて、第１のワイヤレスデバイスは、第１のスケジューリング信号に応答して第２のスケジューリング信号を送信することを控える確率を増加させ得る。
【００４５】
上記で説明したように、第１のワイヤレスデバイスは、確率に基づいて第２のスケジューリング信号を送信することを控え得るものであり、確率は、第２のワイヤレスデバイスまでの距離または第１のワイヤレスデバイスの近傍内のワイヤレスデバイスの密度のうちの少なくとも１つに基づき得る。第１のワイヤレスデバイスは、第２のワイヤレスデバイスまでの距離に基づいて確率を調整し得る。そのような構成では、第１のワイヤレスデバイスは、確率を用いて第２のスケジューリング信号を送信することを控え得る。たとえば、第１のワイヤレスデバイスは、それが第２のワイヤレスデバイスに接近するほど、Ｒｘフェーズにおいて送信することを控える確率を増加させ得る。第１のワイヤレスデバイスは、第１のワイヤレスデバイスの近傍内のワイヤレスデバイスの密度に基づいて確率を調整し得る。そのような構成では、第１のワイヤレスデバイスは、確率を用いて第２のスケジューリング信号を送信することを控え得る。たとえば、第１のワイヤレスデバイスは、第１のワイヤレスデバイスの周りのワイヤレスデバイスの密度が高いほど、Ｒｘフェーズにおいて送信することを控える確率を増加させ得る。
【００４６】
ステップ８１０において、ワイヤレスデバイスは、確率に基づいて、第１のスケジューリング信号に応答してスケジューリングリソースにおいて（たとえば、Ｒｘフェーズにおいて）第２のスケジューリング信号を送信することを控える。ステップ８１２において、ワイヤレスデバイスは、ユニキャストリソースにおいて第２のブロードキャスト信号を受信する。第１のブロードキャスト信号は、ブロードキャストメッセージをさらに含み得る。ブロードキャストのためにユニキャストリソースを使用するという意図を示す情報は、ブロードキャストのために使用されるユニキャストリソースを示す情報を含み得る。ユニキャストリソースは、複数のユニキャストリソースを含み得る。
【００４７】
図１４は、ワイヤレス通信の第５の方法のフローチャート９００である。該方法は、たとえば、ワイヤレスデバイス４１６などのワイヤレスデバイスによって実行され得る。図１４に示されるように、ステップ９０２において、第１のワイヤレスデバイスは、第２のワイヤレスデバイス（たとえば、ワイヤレスデバイス４０２）から第１のブロードキャスト信号（たとえば、信号４５２）を受信する。第１のブロードキャスト信号は、第２のブロードキャスト信号（たとえば、信号４５４）を送信するためにユニキャストリソースを使用するという意図を示す情報を含み得る。ステップ９０４において、第１のワイヤレスデバイスは、第２のブロードキャスト信号と同時にユニキャストリソース上でデータを送信することを控える。ステップ９０６において、第１のワイヤレスデバイスは、ユニキャストリソースにおいて第２のブロードキャスト信号を受信する。
【００４８】
第１のブロードキャスト信号は、ブロードキャストメッセージをさらに含み得る。ブロードキャストのためにユニキャストリソースを使用するという意図を示す情報は、ブロードキャストのために使用されるユニキャストリソースを示す情報を含み得る。ユニキャストリソースは複数のユニキャストリソースを含み得る。
【００４９】
図１５は、例示的な装置１０２における異なるモジュール／手段／コンポーネント間のデータフローを示す概念的なデータフロー図１５００である。装置１０２は、受信モジュール１５０２、距離および密度決定モジュール１５０４、確率調整モジュール１５０６、ブロードキャストリソース決定モジュール１５０８、ブロードキャスト生成モジュール１５１０、接続スケジューリング制御モジュール１５１２、および送信モジュール１５１４のうちの少なくとも１つを含み得る。
【００５０】
ブロードキャスト生成モジュール１５１０は、ブロードキャスト情報を生成し、ブロードキャスト情報をブロードキャストリソース決定モジュール１５０８に与えるように構成され得る。ブロードキャスト情報に基づいて、ブロードキャストリソース決定モジュール１５０８は、ブロードキャスト情報の一部分を用いて、第２のブロードキャスト信号を送信するためにユニキャストリソースを利用すべきかどうかを決定するように構成され得る。ブロードキャストリソース決定モジュール１５０８は、ブロードキャストのためにユニキャストリソースを使用するという意図を示す情報を含む第１のブロードキャスト信号を生成するようにブロードキャスト生成モジュール１５１０に通知するように構成され得る。ブロードキャスト生成モジュール１５１０は、第１のブロードキャスト信号を送信モジュール１５１４に与えるように構成され得、送信モジュール１５１４は、第１のブロードキャスト信号を送信するように構成され得る。ブロードキャスト生成モジュール１５１０は、低レイテンシで送信される必要がある追加のブロードキャスト情報を含む第２のブロードキャスト信号を生成することと、第２のブロードキャスト信号を送信モジュール１５１４に与えることとを行うように構成され得、送信モジュール１５１４は、ユニキャストリソースにおいて第２のブロードキャスト信号を送信するように構成され得る。
【００５１】
送信モジュール１５１４は、複数のスケジューリングリソースのうちの１つのスケジューリングリソース（たとえば、Ｔｘ）において、ユニキャストリソースを使用するという第２の意図を通信するように構成され得る。送信モジュール１５１４は、接続スケジューリング制御モジュール１５１２によって示された接続スケジューリングリソースにおいて第２のスケジューリング信号を送信することを介して第２の意図を通信するように構成され得る。距離および密度決定モジュール１５０４は、少なくとも１つのワイヤレスデバイスまでの距離を決定するように構成され得る。決定された距離は、送信モジュール１５１４に与えられ得、送信モジュール１５１４は、距離がしきい値距離よりも小さいかどうかに基づいて少なくとも１つのワイヤレスデバイスについて第２のスケジューリング信号を送信すべきかどうかを決定するように構成され得る。距離および密度決定モジュール１５０４は、しきい値距離内の少なくとも１つのワイヤレスデバイスの各々の近傍内のワイヤレスデバイスの密度を決定することと、決定された密度を送信モジュール１５１４に与えることとを行うように構成され得る。送信モジュール１５１４は、少なくとも１つのワイヤレスデバイスのいずれかについて、密度が密度しきい値よりも大きいときにのみ、第２のスケジューリング信号を送信するように構成され得る。
【００５２】
受信モジュール１５０２は、少なくとも１つのワイヤレスデバイスの各々からブロードキャスト信号を受信するように構成され得る。各ブロードキャスト信号は、対応するワイヤレスデバイスのロケーションを含み得る。受信モジュール１５０２は、ブロードキャスト信号を距離および密度決定モジュール１５０４に提供し、距離および密度決定モジュール１５０４は、現在ロケーションを決定することと、対応するワイヤレスデバイスまでの距離を決定するために現在ロケーションを対応するワイヤレスデバイスのロケーションと比較することとを行うように構成され得る。送信モジュール１５１４は、ユニキャストリソースを使用するという第２の意図を通信するという意図を通信するように構成され得る。ユニキャストリソースを使用するという第２の意図を通信するという意図を通信するために、送信モジュール１５１４は、第２のスケジューリング信号（たとえば、Ｔｘ）を送信するという意図を示す第１のスケジューリング信号（たとえば、Ｔｘｐ）を送信するように構成され得る。
【００５３】
受信モジュール１５０２は、ブロードキャストのためにユニキャストリソースを使用するという意図を示す情報を含む第１のブロードキャスト信号を第２のワイヤレスデバイスから受信するように構成され得る。受信モジュール１５０２は、スケジューリングリソースにおいて第２のワイヤレスデバイスから第１のスケジューリング信号を受信するように構成され得る。第１のスケジューリング信号は、第２のブロードキャスト信号を送信するためにユニキャストリソースを使用するという第２の意図を示し得る。確率調整モジュール１５０６は、第２のワイヤレスデバイスまでの距離および／または第１のワイヤレスデバイスの近傍内のワイヤレスデバイスの密度に基づいて、第１のスケジューリング信号に応答して第２のスケジューリング信号を送信すること／送信することを控えることの確率を調整するように構成され得る。確率調整モジュール１５０６は、調整された確率を送信モジュール１５１４に与えるように構成され得、送信モジュール１５１４は、確率に基づいて、第１のスケジューリング信号に応答してスケジューリングリソースにおいて第２のスケジューリング信号を送信することを控えるように構成され得る。受信モジュール１５０２は、ユニキャストリソースにおいて第２のブロードキャスト信号を受信するように構成され得る。
【００５４】
受信モジュール１５０２は、第２のワイヤレスデバイスから第１のブロードキャスト信号を受信するように構成され得る。第１のブロードキャスト信号は、第２のブロードキャスト信号を送信するためにユニキャストリソースを使用するという意図を示す情報を含み得る。受信モジュール１５０２は、ユニキャストリソースにおいて第２のブロードキャスト信号を受信するように構成され得る。送信モジュール１５１４は、第２のブロードキャスト信号と同時にユニキャストリソース上でデータを送信することを控えるように構成され得る。
【００５５】
装置は、上述のフローチャート中のアルゴリズムのステップの各々を実行する追加のモジュールを含み得る。したがって、上述のフローチャート中の各ステップは、１つのモジュールによって実行され得、装置は、それらのモジュールのうちの１つまたは複数を含み得る。それらのモジュールは、記載されたプロセス／アルゴリズムを行うように特に構成された１つまたは複数のハードウェアコンポーネントであるか、記載されたプロセス／アルゴリズムを実行するように構成されたプロセッサによって実装されるか、プロセッサによる実装のためにコンピュータ可読媒体内に記憶されるか、またはそれらの何らかの組合せであり得る。
【００５６】
図１６は、処理システム１６１４を採用する装置１０２’のためのハードウェア実装形態の例を示す図である。処理システム１６１４は、バス１６２４によって全体的に表されたバスアーキテクチャを用いて実装され得る。バス１６２４は、処理システム１６１４の特定の用途および全体的な設計制約に応じて、任意の数の相互接続バスおよびブリッジを含み得る。バス１６２４は、プロセッサ１６０４、モジュール１５０２〜１５１４、およびコンピュータ可読媒体１６０６によって表される１つまたは複数のプロセッサおよび／またはハードウェアモジュールを含む、様々な回路を互いにリンクさせる。バス１６２４はまた、タイミングソース、周辺機器、電圧調整器、および電力管理回路など、様々な他の回路をリンクさせ得るが、これらは当該技術分野においてよく知られており、したがって、ここではこれ以上説明しない。
【００５７】
処理システム１６１４は、トランシーバ１６１０に結合され得る。トランシーバ１６１０は、１つまたは複数のアンテナ１６２０に結合される。トランシーバ１６１０は、伝送媒体を通じて様々な他の装置と通信するための手段を提供する。処理システム１６１４は、コンピュータ可読媒体１６０６に結合されたプロセッサ１６０４を含む。プロセッサ１６０４は、コンピュータ可読媒体１６０６に記憶されたソフトウェアの実行を含む一般的な処理を担当する。ソフトウェアは、プロセッサ１６０４によって実行されたとき、処理システム１６１４に、特定の装置のための上記で説明した様々な機能を実行させる。コンピュータ可読媒体１６０６はまた、ソフトウェアを実行するときにプロセッサ１６０４によって操作されるデータを記憶するために使用され得る。処理システムは、モジュール１５０２〜１５１４のうちの少なくとも１つをさらに含む。それらのモジュールは、プロセッサ１６０４中で動作するか、コンピュータ可読媒体１６０６中に常駐する／記憶されたソフトウェアモジュールであるか、プロセッサ１６０４に結合された１つまたは複数のハードウェアモジュールであるか、またはそれらの何らかの組合せであり得る。
【００５８】
一構成では、ワイヤレス通信のための装置１０２／１０２’は、ブロードキャストのためにユニキャストリソースを使用するという意図を示す情報を含む第１のブロードキャスト信号を送信するための手段を含む。該装置は、ユニキャストリソースにおいて第２のブロードキャスト信号を送信するための手段をさらに含む。該装置は、追加のブロードキャスト情報を送信する必要があることに起因して、第２のブロードキャスト信号を送信するためにユニキャストリソースを利用することを決定するための手段をさらに含み得る。該装置は、複数のスケジューリングリソースのうちの１つのスケジューリングリソースにおいて、ユニキャストリソースを使用するという第２の意図を通信するための手段をさらに含み得る。該装置は、少なくとも１つのワイヤレスデバイスまでの距離を決定するための手段と、距離がしきい値距離よりも小さいとき、少なくとも１つのワイヤレスデバイスのための第２のスケジューリング信号を送信するための手段とをさらに含み得る。該装置は、しきい値距離内の少なくとも１つのワイヤレスデバイスの各々の近傍内のワイヤレスデバイスの密度を決定するための手段をさらに含み得る。少なくとも１つのワイヤレスデバイスのいずれかについて、密度が密度しきい値よりも大きいときにのみ、第２のスケジューリング信号が送信され得る。距離を決定するための手段は、少なくとも１つのワイヤレスデバイスの各々からブロードキャスト信号を受信するための手段を含み得る。各ブロードキャスト信号は、対応するワイヤレスデバイスのロケーションを含み得る。距離を決定するための手段は、現在ロケーションを決定するための手段と、対応するワイヤレスデバイスまでの距離を決定するために現在ロケーションを対応するワイヤレスデバイスのロケーションと比較するための手段とをさらに含み得る。該装置は、ユニキャストリソースを使用するという第２の意図を通信するという意図を通信するための手段をさらに含み得る。上述の手段は、上述の手段によって具陳される機能を実行するように構成された、装置１０２、および／または装置１０２’の処理システム１６１４の上述のモジュールのうちの１つまたは複数であり得る。
【００５９】
一構成では、ワイヤレス通信のための装置１０２／１０２’は、ブロードキャストのためにユニキャストリソースを使用するという意図を示す情報を含む第１のブロードキャスト信号を第２の装置から受信するための手段を含む。該装置は、スケジューリングリソースにおいて第２の装置から第１のスケジューリング信号を受信するための手段をさらに含む。第１のスケジューリング信号は、第２のブロードキャスト信号を送信するためにユニキャストリソースを使用するという第２の意図を示し得る。該装置は、第１のスケジューリング信号に応答してスケジューリングリソースにおいて第２のスケジューリング信号を送信することを控えるための手段をさらに含む。該装置は、第２の装置までの距離に基づいて、第２のスケジューリング信号を送信することを控えるための確率を調整するための手段をさらに含み得る。控えるための手段は、確率を用いて第２のスケジューリング信号を送信することを控え得る。該装置は、装置の近傍内のワイヤレスデバイスの密度に基づいて確率を調整するための手段をさらに含み得る。控えるための手段は、確率を用いて第２のスケジューリング信号を送信することを控え得る。該装置は、ユニキャストリソースにおいて第２のブロードキャスト信号を受信するための手段をさらに含み得る。上述の手段は、上述の手段によって具陳される機能を実行するように構成された、装置１０２、および／または装置１０２’の処理システム１６１４の上述のモジュールのうちの１つまたは複数であり得る。
【００６０】
一構成では、ワイヤレス通信のための装置１０２／１０２’は、第２のブロードキャスト信号を送信するためにユニキャストリソースを使用するという意図を示す情報を含む第１のブロードキャスト信号を第２の装置から受信するための手段を含む。該装置は、第２のブロードキャスト信号と同時にユニキャストリソース上でデータを送信することを控えるための手段をさらに含む。該装置は、ユニキャストリソースにおいて第２のブロードキャスト信号を受信するための手段をさらに含み得る。上述の手段は、上述の手段によって具陳される機能を実行するように構成された、装置１０２、および／または装置１０２’の処理システム１６１４の上述のモジュールのうちの１つまたは複数であり得る。
【００６１】
開示したプロセス中のステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００６２】
以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、言語的主張に矛盾しない最大限の範囲を与えられるべきであり、単数形の要素への言及は、明確にそう明記されていない限り、「ただ１つの」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明記されていない限り、ミーンズプラスファンクションとして解釈されるべきではない。
以下に、本願の出願当初請求項に記載された発明を付記する。
［Ｃ１］
ワイヤレス通信の方法であって、
ブロードキャストのためにユニキャストリソースを使用するという意図を示す情報を含む第１のブロードキャスト信号を送信することと、
前記ユニキャストリソースにおいて第２のブロードキャスト信号を送信することと
を備える、ワイヤレス通信の方法。
［Ｃ２］
追加のブロードキャスト情報を送信する必要があることに起因して、前記第２のブロードキャスト信号を送信するために前記ユニキャストリソースを利用することを決定することをさらに備える、上記Ｃ１に記載の方法。
［Ｃ３］
前記第１のブロードキャスト信号がブロードキャストメッセージをさらに含む、上記Ｃ１に記載の方法。
［Ｃ４］
前記ブロードキャストのために前記ユニキャストリソースを使用するという前記意図を示す前記情報が、前記ブロードキャストのために使用される前記ユニキャストリソースを示す情報を含む、上記Ｃ１に記載の方法。
［Ｃ５］
前記ユニキャストリソースが複数のユニキャストリソースを含む、上記Ｃ４に記載の方法。
［Ｃ６］
複数のスケジューリングリソースのうちの１つのスケジューリングリソースにおいて、前記ユニキャストリソースを使用するという第２の意図を通信することをさらに備える、上記Ｃ１に記載の方法。
［Ｃ７］
前記複数のスケジューリングリソースがそれぞれ、異なる関連優先度を有し、前記第２の意図がそこにおいて送信される前記スケジューリングリソースが、最も高い優先度を有する、上記Ｃ６に記載の方法。
［Ｃ８］
前記ユニキャストリソースを使用するという前記第２の意図を前記通信することが、前記第２のブロードキャスト信号の前記送信の意図された電力に等しい電力でスケジューリング信号を送信することを含む、上記Ｃ６に記載の方法。
［Ｃ９］
少なくとも１つのワイヤレスデバイスまでの距離を決定することと、
前記距離がしきい値距離よりも小さいときに、前記少なくとも１つのワイヤレスデバイスについて第２のスケジューリング信号を送信することと
をさらに備える、上記Ｃ８に記載の方法。
［Ｃ１０］
前記しきい値距離内の前記少なくとも１つのワイヤレスデバイスの各々の近傍内のワイヤレスデバイスの密度を決定することであって、前記少なくとも１つのワイヤレスデバイスのいずれかについて前記密度が密度しきい値よりも大きいときにのみ前記第２のスケジューリング信号が送信される、決定することをさらに含む、上記Ｃ９に記載の方法。
［Ｃ１１］
前記距離を前記決定することが、
前記少なくとも１つのワイヤレスデバイスの各々からブロードキャスト信号を受信することであって、各ブロードキャスト信号が対応するワイヤレスデバイスのロケーションを含む、受信することと、
現在ロケーションを決定することと、
前記対応するワイヤレスデバイスまでの前記距離を決定するために前記現在ロケーションを前記対応するワイヤレスデバイスの前記ロケーションと比較することと
を含む、上記Ｃ９に記載の方法。
［Ｃ１２］
前記ユニキャストリソースを使用するという前記第２の意図を通信するという意図を通信することをさらに含む、上記Ｃ６に記載の方法。
［Ｃ１３］
前記ユニキャストリソースを使用するという前記第２の意図を通信するという前記意図を前記通信することが、第２のスケジューリング信号を送信するという意図を示す第１のスケジューリング信号を送信することを含む、上記Ｃ１２に記載の方法。
［Ｃ１４］
第１のワイヤレスデバイスの方法であって、
ブロードキャストのためにユニキャストリソースを使用するという意図を示す情報を含む第１のブロードキャスト信号を第２のワイヤレスデバイスから受信することと、
スケジューリングリソースにおいて前記第２のワイヤレスデバイスから第１のスケジューリング信号を受信することであって、前記第１のスケジューリング信号が、第２のブロードキャスト信号を送信するために前記ユニキャストリソースを使用するという第２の意図を示すためのものである、受信することと、
前記第１のスケジューリング信号に応答して、前記スケジューリングリソースにおいて第２のスケジューリング信号を送信することを控えることと
を備える、第１のワイヤレスデバイスの方法。
［Ｃ１５］
前記控えることが確率に基づき、前記確率が、前記第２のワイヤレスデバイスまでの距離または前記第１のワイヤレスデバイスの近傍内のワイヤレスデバイスの密度のうちの少なくとも１つに基づく、上記Ｃ１４に記載の方法。
［Ｃ１６］
前記第２のワイヤレスデバイスまでの前記距離に基づいて前記確率を調整することであって、前記控えることが、前記確率を用いて前記第２のスケジューリング信号を送信することを控えることを含む、調整することをさらに備える、上記Ｃ１５に記載の方法。
［Ｃ１７］
前記第１のワイヤレスデバイスの前記近傍内のワイヤレスデバイスの前記密度に基づいて前記確率を調整することであって、前記控えることが、前記確率を用いて前記第２のスケジューリング信号を送信することを控えることを含む、調整することをさらに備える、上記Ｃ１５に記載の方法。
［Ｃ１８］
前記ユニキャストリソースにおいて前記第２のブロードキャスト信号を受信することをさらに備える、上記Ｃ１４に記載の方法。
［Ｃ１９］
前記第１のブロードキャスト信号がブロードキャストメッセージをさらに含む、上記Ｃ１４に記載の方法。
［Ｃ２０］
前記ブロードキャストのために前記ユニキャストリソースを使用するという前記意図を示す前記情報が、前記ブロードキャストのために使用される前記ユニキャストリソースを示す情報を含む、上記Ｃ１４に記載の方法。
［Ｃ２１］
前記ユニキャストリソースが複数のユニキャストリソースを含む、上記Ｃ２０に記載の方法。
［Ｃ２２］
第１のワイヤレスデバイスの方法であって、
第２のブロードキャスト信号を送信するためにユニキャストリソースを使用するという意図を示す情報を含む第１のブロードキャスト信号を第２のワイヤレスデバイスから受信することと、
前記第２のブロードキャスト信号と同時に前記ユニキャストリソース上でデータを送信することを控えることと
を備える、第１のワイヤレスデバイスの方法。
［Ｃ２３］
前記ユニキャストリソースにおいて前記第２のブロードキャスト信号を受信することをさらに備える、上記Ｃ２２に記載の方法。
［Ｃ２４］
前記第１のブロードキャスト信号がブロードキャストメッセージをさらに含む、上記Ｃ２２に記載の方法。
［Ｃ２５］
前記第２のブロードキャスト信号を送信するために前記ユニキャストリソースを使用するという前記意図を示す前記情報が、前記第２のブロードキャスト信号を送信するために使用される前記ユニキャストリソースを示す情報を含む、上記Ｃ２２に記載の方法。
［Ｃ２６］
前記ユニキャストリソースが複数のユニキャストリソースを含む、上記Ｃ２５に記載の方法。
［Ｃ２７］
ワイヤレス通信のための装置であって、
ブロードキャストのためにユニキャストリソースを使用するという意図を示す情報を含む第１のブロードキャスト信号を送信するための手段と、
前記ユニキャストリソースにおいて第２のブロードキャスト信号を送信するための手段と
を備える、装置。
［Ｃ２８］
追加のブロードキャスト情報を送信する必要があることに起因して、前記第２のブロードキャスト信号を送信するために前記ユニキャストリソースを利用することを決定するための手段をさらに備える、上記Ｃ２７に記載の装置。
［Ｃ２９］
前記第１のブロードキャスト信号がブロードキャストメッセージをさらに含む、上記Ｃ２７に記載の装置。
［Ｃ３０］
前記ブロードキャストのために前記ユニキャストリソースを使用するという前記意図を示す前記情報が、前記ブロードキャストのために使用される前記ユニキャストリソースを示す情報を含む、上記Ｃ２７に記載の装置。
［Ｃ３１］
前記ユニキャストリソースが複数のユニキャストリソースを含む、上記Ｃ３０に記載の装置。
［Ｃ３２］
複数のスケジューリングリソースのうちの１つのスケジューリングリソースにおいて、前記ユニキャストリソースを使用するという第２の意図を通信するための手段をさらに含む、上記Ｃ２７に記載の装置。
［Ｃ３３］
前記複数のスケジューリングリソースがそれぞれ、異なる関連優先度を有し、前記第２の意図がそこにおいて送信される前記スケジューリングリソースが、最も高い優先度を有する、上記Ｃ３２に記載の装置。
［Ｃ３４］
前記ユニキャストリソースを使用するという前記第２の意図を通信するための前記手段が、前記第２のブロードキャスト信号の前記送信の意図された電力に等しい電力でスケジューリング信号を送信する、上記Ｃ３２に記載の装置。
［Ｃ３５］
少なくとも１つのワイヤレスデバイスまでの距離を決定するための手段と、
前記距離がしきい値距離よりも小さいときに、前記少なくとも１つのワイヤレスデバイスについて第２のスケジューリング信号を送信するための手段と
をさらに備える、上記Ｃ３４に記載の装置。
［Ｃ３６］
前記しきい値距離内の前記少なくとも１つのワイヤレスデバイスの各々の近傍内のワイヤレスデバイスの密度を決定するための手段であって、前記少なくとも１つのワイヤレスデバイスのいずれかについて前記密度が密度しきい値よりも大きいときにのみ前記第２のスケジューリング信号が送信される、決定するための手段をさらに備える、上記Ｃ３５に記載の装置。
［Ｃ３７］
距離を決定するための前記手段が、
前記少なくとも１つのワイヤレスデバイスの各々からブロードキャスト信号を受信するための手段であって、各ブロードキャスト信号が対応するワイヤレスデバイスのロケーションを含む、受信するための手段と、
現在ロケーションを決定するための手段と、
前記対応するワイヤレスデバイスまでの前記距離を決定するために前記対応するワイヤレスデバイスの前記ロケーションと前記現在ロケーションとを比較するための手段と
を含む、上記Ｃ３５に記載の装置。
［Ｃ３８］
前記ユニキャストリソースを使用するという前記第２の意図を通信するという意図を通信するための手段をさらに備える、上記Ｃ３２に記載の装置。
［Ｃ３９］
前記ユニキャストリソースを使用するという前記第２の意図を通信するという前記意図を通信するための前記手段が、第２のスケジューリング信号を送信するという意図を示す第１のスケジューリング信号を送信する、上記Ｃ３８に記載の装置。
［Ｃ４０］
ワイヤレス通信のための装置であって、
ブロードキャストのためにユニキャストリソースを使用するという意図を示す情報を含む第１のブロードキャスト信号を第２の装置から受信するための手段と、
スケジューリングリソースにおいて前記第２の装置から第１のスケジューリング信号を受信するための手段であって、前記第１のスケジューリング信号が、第２のブロードキャスト信号を送信するために前記ユニキャストリソースを使用するという第２の意図を示すためのものである、受信するための手段と、
前記第１のスケジューリング信号に応答して、前記スケジューリングリソースにおいて第２のスケジューリング信号を送信することを控えるための手段と
を備える、装置。
［Ｃ４１］
控えるための前記手段が確率に基づき、前記確率が、前記第２の装置までの距離または前記装置の近傍内のワイヤレスデバイスの密度のうちの少なくとも１つに基づく、上記Ｃ４０に記載の装置。
［Ｃ４２］
前記第２の装置までの前記距離に基づいて前記確率を調整するための手段であって、控えるための前記手段が、前記確率を用いて前記第２のスケジューリング信号を送信することを控える、調整するための手段をさらに含む、上記Ｃ４１に記載の装置。
［Ｃ４３］
前記装置の前記近傍内のワイヤレスデバイスの前記密度に基づいて前記確率を調整するための手段であって、控えるための前記手段が、前記確率を用いて前記第２のスケジューリング信号を送信することを控える、調整するための手段をさらに備える、上記Ｃ４１に記載の装置。
［Ｃ４４］
前記ユニキャストリソースにおいて前記第２のブロードキャスト信号を受信するための手段をさらに備える、上記Ｃ４０に記載の装置。
［Ｃ４５］
前記第１のブロードキャスト信号がブロードキャストメッセージをさらに含む、上記Ｃ４０に記載の装置。
［Ｃ４６］
前記ブロードキャストのために前記ユニキャストリソースを使用するという前記意図を示す前記情報が、前記ブロードキャストのために使用される前記ユニキャストリソースを示す情報を含む、上記Ｃ４０に記載の装置。
［Ｃ４７］
前記ユニキャストリソースが複数のユニキャストリソースを含む、上記Ｃ４６に記載の装置。
［Ｃ４８］
ワイヤレス通信のための装置であって、
第２のブロードキャスト信号を送信するためにユニキャストリソースを使用するという意図を示す情報を含む第１のブロードキャスト信号を第２の装置から受信するための手段と、
前記第２のブロードキャスト信号と同時に前記ユニキャストリソース上でデータを送信することを控えるための手段と
を備える、装置。
［Ｃ４９］
前記ユニキャストリソースにおいて前記第２のブロードキャスト信号を受信するための手段をさらに含む、上記Ｃ４８に記載の装置。
［Ｃ５０］
前記第１のブロードキャスト信号がブロードキャストメッセージをさらに含む、上記Ｃ４８に記載の装置。
［Ｃ５１］
前記第２のブロードキャスト信号を送信するために前記ユニキャストリソースを使用するという前記意図を示す前記情報が、前記第２のブロードキャスト信号を送信するために使用される前記ユニキャストリソースを示す情報を含む、上記Ｃ４８に記載の装置。
［Ｃ５２］
前記ユニキャストリソースが複数のユニキャストリソースを含む、上記Ｃ５１に記載の装置。
［Ｃ５３］
ワイヤレス通信のための装置であって、
ブロードキャストのためにユニキャストリソースを使用するという意図を示す情報を含む第１のブロードキャスト信号を送信することと、
前記ユニキャストリソースにおいて第２のブロードキャスト信号を送信することと
を行うように構成された処理システム
を備える、装置。
［Ｃ５４］
前記処理システムは、追加のブロードキャスト情報を送信する必要があることに起因して、前記第２のブロードキャスト信号を送信するために前記ユニキャストリソースを利用するようにさらに構成された、上記Ｃ５３に記載の装置。
［Ｃ５５］
前記第１のブロードキャスト信号がブロードキャストメッセージをさらに含む、上記Ｃ５３に記載の装置。
［Ｃ５６］
前記ブロードキャストのために前記ユニキャストリソースを使用するという前記意図を示す前記情報が、前記ブロードキャストのために使用される前記ユニキャストリソースを示す情報を含む、上記Ｃ５３に記載の装置。
［Ｃ５７］
前記ユニキャストリソースが複数のユニキャストリソースを含む、上記Ｃ５６に記載の装置。
［Ｃ５８］
前記処理システムが、複数のスケジューリングリソースのうちの１つのスケジューリングリソースにおいて前記ユニキャストリソースを使用するという第２の意図を通信するようにさらに構成された、上記Ｃ５３に記載の装置。
［Ｃ５９］
前記複数のスケジューリングリソースがそれぞれ、異なる関連優先度を有し、前記第２の意図がそこにおいて送信される前記スケジューリングリソースが、最も高い優先度を有する、上記Ｃ５８に記載の装置。
［Ｃ６０］
前記処理システムが、前記第２のブロードキャスト信号の前記送信の意図された電力に等しい電力でスケジューリング信号を送信することによって、前記ユニキャストリソースを使用するという前記第２の意図を通信するように構成された、上記Ｃ５８に記載の装置。
［Ｃ６１］
前記処理システムが、
少なくとも１つのワイヤレスデバイスまでの距離を決定することと、
前記距離がしきい値距離よりも小さいときに、前記少なくとも１つのワイヤレスデバイスについて第２のスケジューリング信号を送信することと
を行うようにさらに構成された、上記Ｃ６０に記載の装置。
［Ｃ６２］
前記処理システムが、前記しきい値距離内の前記少なくとも１つのワイヤレスデバイスの各々の近傍内のワイヤレスデバイスの密度を決定するようにさらに構成され、前記少なくとも１つのワイヤレスデバイスのいずれかについて前記密度が密度しきい値よりも大きいときにのみ、前記第２のスケジューリング信号が送信される、上記Ｃ６１に記載の装置。
［Ｃ６３］
前記距離を決定するために、前記処理システムが、
前記少なくとも１つのワイヤレスデバイスの各々からブロードキャスト信号を受信することであって、各ブロードキャスト信号が対応するワイヤレスデバイスのロケーションを含む、受信することと、
現在ロケーションを決定することと、
前記対応するワイヤレスデバイスまでの前記距離を決定するために前記対応するワイヤレスデバイスの前記ロケーションと前記現在ロケーションとを比較することと
を行うように構成された、上記Ｃ６１に記載の装置。
［Ｃ６４］
前記処理システムが、前記ユニキャストリソースを使用するという前記第２の意図を通信するという意図を通信するようにさらに構成された、上記Ｃ５８に記載の装置。
［Ｃ６５］
前記処理システムが、第２のスケジューリング信号を送信するという意図を示す第１のスケジューリング信号を送信することによって、前記ユニキャストリソースを使用するという前記第２の意図を通信するという前記意図を通信するように構成された、上記Ｃ６４に記載の装置。
［Ｃ６６］
ワイヤレス通信のための装置であって、
ブロードキャストのためにユニキャストリソースを使用するという意図を示す情報を含む第１のブロードキャスト信号を第２の装置から受信することと、
スケジューリングリソースにおいて前記第２の装置から第１のスケジューリング信号を受信することであって、前記第１のスケジューリング信号が、第２のブロードキャスト信号を送信するために前記ユニキャストリソースを使用するという第２の意図を示すためのものである、受信することと、
前記第１のスケジューリング信号に応答して、前記スケジューリングリソースにおいて第２のスケジューリング信号を送信することを控えることと
を行うように構成された処理システム
を備える、装置。
［Ｃ６７］
前記処理システムが、確率に基づいて控えるように構成され、前記確率が、前記第２の装置までの距離または前記装置の近傍内のワイヤレスデバイスの密度のうちの少なくとも１つに基づく、上記Ｃ６６に記載の装置。
［Ｃ６８］
前記処理システムが、前記第２の装置までの前記距離に基づいて前記確率を調整するようにさらに構成され、前記処理システムが、前記確率を用いて前記第２のスケジューリング信号を送信することを控えるように構成された、上記Ｃ６７に記載の装置。
［Ｃ６９］
前記処理システムが、前記装置の前記近傍内のワイヤレスデバイスの前記密度に基づいて前記確率を調整するように構成され、前記処理システムが、前記確率を用いて前記第２のスケジューリング信号を送信することを控える、上記Ｃ６７に記載の装置。
［Ｃ７０］
前記処理システムが、前記ユニキャストリソースにおいて前記第２のブロードキャスト信号を受信するようにさらに構成された、上記Ｃ６６に記載の装置。
［Ｃ７１］
前記第１のブロードキャスト信号がブロードキャストメッセージをさらに含む、上記Ｃ６６に記載の装置。
［Ｃ７２］
前記ブロードキャストのために前記ユニキャストリソースを使用するという前記意図を示す前記情報が、前記ブロードキャストのために使用される前記ユニキャストリソースを示す情報を含む、上記Ｃ６６に記載の装置。
［Ｃ７３］
前記ユニキャストリソースが複数のユニキャストリソースを含む、上記Ｃ７２に記載の装置。
［Ｃ７４］
ワイヤレス通信のための装置であって、
第２のブロードキャスト信号を送信するためにユニキャストリソースを使用するという意図を示す情報を含む第１のブロードキャスト信号を第２の装置から受信することと、
前記第２のブロードキャスト信号と同時に前記ユニキャストリソース上でデータを送信することを控えることと
を行うように構成された処理システム
を備える、装置。
［Ｃ７５］
前記ユニキャストリソースにおいて前記第２のブロードキャスト信号を受信することをさらに含む、上記Ｃ７４に記載の装置。
［Ｃ７６］
前記第１のブロードキャスト信号がブロードキャストメッセージをさらに含む、上記Ｃ７４に記載の装置。
［Ｃ７７］
前記第２のブロードキャスト信号を送信するために前記ユニキャストリソースを使用するという前記意図を示す前記情報が、前記第２のブロードキャスト信号を送信するために使用される前記ユニキャストリソースを示す情報を含む、上記Ｃ７４に記載の装置。
［Ｃ７８］
前記ユニキャストリソースが複数のユニキャストリソースを含む、上記Ｃ７７に記載の装置。
［Ｃ７９］
ブロードキャストのためにユニキャストリソースを使用するという意図を示す情報を含む第１のブロードキャスト信号を送信することと、
前記ユニキャストリソースにおいて第２のブロードキャスト信号を送信することと
のためのコードを含むコンピュータ可読媒体
を備える、コンピュータプログラム製品。
［Ｃ８０］
第１のワイヤレスデバイス中のコンピュータプログラム製品であって、
ブロードキャストのためにユニキャストリソースを使用するという意図を示す情報を含む第１のブロードキャスト信号を第２のワイヤレスデバイスから受信することと、
スケジューリングリソースにおいて前記第２のワイヤレスデバイスから第１のスケジューリング信号を受信することであって、前記第１のスケジューリング信号が、第２のブロードキャスト信号を送信するために前記ユニキャストリソースを使用するという第２の意図を示すためのものである、受信することと、
前記第１のスケジューリング信号に応答して、前記スケジューリングリソースにおいて第２のスケジューリング信号を送信することを控えることと
のためのコードを含むコンピュータ可読媒体
を備える、コンピュータプログラム製品。
［Ｃ８１］
第１のワイヤレスデバイス中のコンピュータプログラム製品であって、
第２のブロードキャスト信号を送信するためにユニキャストリソースを使用するという意図を示す情報を含む第１のブロードキャスト信号を第２のワイヤレスデバイスから受信することと、
前記第２のブロードキャスト信号と同時に前記ユニキャストリソース上でデータを送信することを控えることと
のためのコードを含むコンピュータ可読媒体
を備える、コンピュータプログラム製品。
【図１】
0005739067.tif 000004
【図２】
0005739067.tif 000005
【図３】
0005739067.tif 000006
【図４】
0005739067.tif 000007
【図５】
0005739067.tif 000008
【図６】
0005739067.tif 000009
【図７】
0005739067.tif 000010
【図８Ａ】
0005739067.tif 000011
【図８Ｂ】
0005739067.tif 000012
【図９】
0005739067.tif 000013
【図１０】
0005739067.tif 000014
【図１１】
0005739067.tif 000015
【図１２】
0005739067.tif 000016
【図１３】
0005739067.tif 000017
【図１４】
0005739067.tif 000018
【図１５】
0005739067.tif 000019
【図１６】
0005739067.tif 000020